(57)【要約】  建物内で人を支援するのに使用するための照明機器及びネットワークであって、少なくとも１つの照明モジュール、少なくとも１つの通信構成要素、コントローラ、照明機器内にあるか又は照明機器に結合されて、通常（例えば、ＡＣ）電源の不在時に照明モジュール、通信構成要素及び／又はコントローラに給電する無停電電源を含み、コントローラは、アクティブ化イベント時に照明モジュールをトリガーして照明させ、通信を介して通信を促進し、且つ／又は通信構成要素及び／又は他の構成要素を使用して人（又はそのデバイス）の位置特定を促進する、照明機器及びネットワーク。
2020532850.tif 000002
【特許請求の範囲】
【請求項１】
建物内で人を支援するのに使用するための照明機器であって、
少なくとも１つの照明モジュール、
少なくとも１つの通信構成要素、
コントローラ、
前記照明機器内にあるか又は前記照明機器に結合されて、通常（例えば、ＡＣ）電源の不在時に前記照明モジュール、前記通信構成要素及び／又は前記コントローラに給電する無停電電源
を含み、前記コントローラは、
アクティブ化イベント時に前記照明モジュールをトリガーして照明させ、
前記通信を介して通信を促進し、且つ／又は
前記通信構成要素及び／又は他の構成要素を使用して人（又はそのデバイス）の位置特定を促進する、照明機器。
【請求項２】
少なくとも１つの人検出及び／又は位置特定構成要素を更に含み、前記コントローラは、前記人検出及び／又は位置特定構成要素を利用して、建物内の人を検出し、且つ／又は前記建物内の人の位置を特定する、請求項１に記載の照明機器。
【請求項３】
各通信構成要素は、
Ｗｉ−Ｆｉ送受信機、
インターネットゲートウェイ、
ＧＰＲＳ送受信機、
Ｂｌｕｅｔｏｏｔｈ送受信機、
リムーバブルルータ／ＲＦ信号エンハンサ
の１つ又は複数である１つ又は複数の通信構成要素を含む、請求項１又は２に記載の照明機器。
【請求項４】
各人検出及び／又は位置特定構成要素は、
近接センサ、
運動検出器、
ＧＰＳ送受信機、
ＢＬＥビーコン、
Ｗｉ−Ｆｉ送受信機、
３ＧＰＰ送受信機、及び／又は
モデムルータ／ＲＦ信号エンハンサ
の１つ又は複数である１つ又は複数の構成要素を含む、請求項２〜４の何れか一項に記載の照明機器。
【請求項５】
前記コントローラは、前記通信構成要素の１つ又は複数を使用して、前記建物内の人のモバイル通信デバイスと第三者（例えば、前記建物の外部）との間の通信を促進することができる、請求項１〜４の何れか一項に記載の照明機器。
【請求項６】
前記コントローラは、任意選択的に前記通信構成要素を使用して、人を検出し、及び／若しくは建物内の人の場所を特定し、且つ／又は前記人の前記検出及び／若しくは場所を第三者（例えば、前記建物の外部）に通信することができる、請求項２〜５の何れか一項に記載の照明機器。
【請求項７】
前記アクティブ化イベントは、緊急イベントである、請求項１〜６の何れか一項に記載の照明機器。
【請求項８】
前記無停電電源は、電池であり、前記電池は、好ましくは、２つの電池ユニットを含み、少なくとも１つの電池ユニットは、前記照明機器から取り外し可能／脱着可能である、請求項１〜７の何れか一項に記載の照明機器。
【請求項９】
前記無停電電源を充電するため、及び／又は周辺機器を充電するための無線充電モジュールを更に含む、請求項１〜８の何れか一項に記載の照明機器。
【請求項１０】
任意選択的に前記無停電電源から外部デバイスに給電するための１つ又は複数の電源ソケット、
前記照明機器に取り外し可能に結合され、且つ／又はアクティブ化イベント時にトリガーされて照明する充電可能トーチ、
ＡＣ電源
の１つ又は複数を更に含む、請求項１〜９の何れか一項に記載の照明機器。
【請求項１１】
前記照明機器を壁内／壁上に搭載するために保持する固定ボックスを更に含む、請求項１〜１０の何れか一項に記載の照明機器。
【請求項１２】
前記無停電電源は、
第１の時間期間にわたり、第１の動作モードで動作することと、
第２の時間期間にわたり、第２の動作モードで動作することと
を行うように構成される、請求項１〜１１の何れか一項に記載の照明機器。
【請求項１３】
前記第１のモードにおいて、前記無停電電源は、前記照明機器の全ての構成要素に電力を提供し、及び
前記第２のモードにおいて、前記無停電電源は、前記第１のモードにおいて動作する前記無停電電源によって給電される構成要素のサブセットに電力を提供する、請求項１２に記載の照明機器。
【請求項１４】
前記第１のモードにおいて、前記無停電電源は、
・前記少なくとも１つの照明モジュール、
・前記少なくとも１つの通信構成要素、
・少なくとも１つの人検出及び／又は位置特定構成要素、
・Ｂｌｕｅｔｏｏｔｈビーコン、
・ゲートウェイルータ、
・前記コントローラ
に電力を提供し、
前記第２のモードにおいて、前記無停電電源は、
・前記少なくとも１つの人検出及び／又は位置特定構成要素、
・前記Ｂｌｕｅｔｏｏｔｈビーコン、
・前記コントローラ
に電力を提供し、
前記無停電電源は、電力が切れるときに前記第１のモードでの動作から前記第２のモードに切り替わるように構成され、
前記コントローラは、常に前記無停電電源によって給電されるように構成される、請求項１２又は１３に記載の照明機器。
【請求項１５】
前記無停電電源は、取り外し可能且つ／又は脱着可能である、請求項１〜１４の何れか一項に記載の照明機器。
【請求項１６】
前記建物の外部に配置される、請求項１〜１５の何れか一項に記載の照明機器。
【請求項１７】
イベント中に建物内で人を支援するためのシステムであって、
照明機器のネットワークであって、各照明機器は、請求項１〜１６の何れか一項に記載のものである、照明機器のネットワーク
を含み、前記照明機器のネットワークは、
アクティブ化イベント時に前記照明モジュールをトリガーして照明させ、
前記通信モジュールを介して通信を促進し、且つ／又は
前記人検出及び／又は位置モジュールを利用して、建物内の人を検出し、且つ／又は前記建物内の人の位置を特定する
ように制御され得る、システム。
【発明の詳細な説明】
【技術分野】
【０００１】
本発明は、通信、検出及び／又は位置特定／場所特定機能を可能にするように構成された照明機器と、そのような照明機器のシステムとに関する。
【背景技術】
【０００２】
電力及び照明の損失は、建物内で発生することがあり、特に居住者が通信することができず、且つ／又は居住者を発見することができない場合、居住者を危険に曝す。これは、例えば、緊急状況で発生することがある。そのような緊急状況は、例えば、地震、洪水、火山の爆発及び嵐等の自然災害又は火災、停電、テロ攻撃、犯罪襲撃若しくは個人の健康緊急時等の他の緊急時であり得る。
【発明の概要】
【発明が解決しようとする課題】
【０００３】
そのような状況では、建物内の人は、救助等の支援を必要とし得る。しかしながら、人々がどこにいるかが未知であり、且つ／又は人々が通信することができないため、多くの場合、緊急サービス又は他の支援を提供することは難しい。これは、通常の電源及び／若しくは通常の通信基盤が利用不可能であり、且つ／又は環境状況（煙等）によって支援が制限されるためである。
【０００４】
本発明の目的は、例えば、緊急状況等の異常イベント中、建物内の人々を支援する装置及び／又はシステムを提供することである。
【課題を解決するための手段】
【０００５】
例えば、本発明の実施形態は、位置又はアラート、人の存在及びヒトの移動をリアルタイムで報告することを支援することができる。
【０００６】
建物は、限定ではなく、アパート、商業オフィスブロック、家、オフィス、店又はホテル等であり得る。
【０００７】
一態様では、本発明は、建物内で人を支援するのに使用するための照明機器であって、少なくとも１つの照明モジュール、少なくとも１つの通信構成要素、コントローラ、照明機器内にあるか又は照明機器に結合されて、通常（例えば、ＡＣ）電源の不在時に照明モジュール、通信構成要素及び／又はコントローラに給電する無停電電源を含み、コントローラは、アクティブ化イベント時に照明モジュールをトリガーして照明させ、通信を介して通信を促進し、且つ／又は通信構成要素及び／又は他の構成要素を使用して人（又はそのデバイス）の位置特定を促進する、照明機器を含み得る。
【０００８】
好ましくは、本照明機器は、少なくとも１つの人検出及び／又は位置特定構成要素を更に含み、コントローラは、人検出及び／又は位置構成要素を利用して、建物内の人を検出し、且つ／又は建物内の人の位置を特定する。
【０００９】
好ましくは、各通信構成要素は、Ｗｉ−Ｆｉ送受信機、インターネットゲートウェイ、３ＧＰＰ送受信機、Ｂｌｕｅｔｏｏｔｈ送受信機、ＩＥＥＥ８０２．１１ネットワーキング規格を使用するリムーバブルモデムルータ／ＲＦ信号エンハンサの１つ又は複数である１つ又は複数の通信構成要素を含む。
【００１０】
好ましくは、各人検出及び／又は位置特定構成要素は、近接センサ、運動検出器、ＧＰＳ送受信機、ＢＬＥビーコン、Ｗｉ−Ｆｉ送受信機の１つ又は複数である１つ又は複数の構成要素を含む。
【００１１】
好ましくは、コントローラは、通信構成要素の１つ又は複数を使用して、建物内の人のモバイル通信デバイスと第三者（例えば、建物の外部）との間の通信を促進することができる。
【００１２】
好ましくは、コントローラは、任意選択的に通信構成要素を使用して、人を検出し、及び／若しくは建物内の人の場所を特定し、且つ／又は人の検出及び／若しくは場所を第三者（例えば、建物の外部）に通信することができる。
【００１３】
好ましくは、アクティブ化イベントは、緊急イベントである。
【００１４】
好ましくは、無停電電源は、電池であり、電池は、好ましくは、２つの電池ユニットを含み、少なくとも１つの電池ユニットは、本照明機器から取り外し可能／脱着可能である。
【００１５】
好ましくは、本照明機器は、無停電電源を充電するため、及び／又は周辺機器を充電するための無線充電モジュールを更に含む。
【００１６】
好ましくは、本照明機器は、任意選択的に無停電電源から外部デバイスに給電するための１つ又は複数の電源ソケット、照明機器に取り外し可能に結合され、且つ／又はアクティブ化イベント時にトリガーされて照明する充電可能トーチ、ＡＣ電源の１つ又は複数を更に含む。
【００１７】
好ましくは、本照明機器は、本照明機器を壁内／壁上に搭載するために保持する固定ボックスを更に含む。
【００１８】
好ましくは、無停電電源は、第１の時間期間にわたり、第１の動作モードで動作することと、第２の時間期間にわたり、第２の動作モードで動作することとを行うように構成される。
【００１９】
好ましくは、第１のモードにおいて、無停電電源は、照明機器の全ての構成要素に電力を提供し、及び第２のモードにおいて、無停電電源は、第１のモードにおいて動作する無停電電源によって給電される構成要素のサブセットに電力を提供する。
【００２０】
好ましくは、第１のモードにおいて、無停電電源は、少なくとも１つの照明モジュール、少なくとも１つの通信構成要素、少なくとも１つの人検出及び／又は位置特定構成要素、Ｂｌｕｅｔｏｏｔｈビーコン、ゲートウェイルータ及びコントローラに電力を提供し、第２のモードにおいて、無停電電源は、少なくとも１つの人検出及び／又は位置特定構成要素、Ｂｌｕｅｔｏｏｔｈビーコン及びコントローラに電力を提供し、無停電電源は、電力が切れるときに第１のモードでの動作から第２のモードに切り替わるように構成され、コントローラは、常に無停電電源によって給電されるように構成される。
【００２１】
好ましくは、無停電電源は、取り外し可能且つ／又は脱着可能である。
【００２２】
好ましくは、照明機器は、建物の外部に配置される。
【００２３】
別の態様では、本発明は、イベント中に建物内で人を支援するためのシステムであって、照明機器のネットワークであって、各照明機器は、請求項１〜１１の何れか一項に記載のものである、照明機器のネットワークを含み、照明機器のネットワークは、アクティブ化イベント時に照明モジュールをトリガーして照明させ、通信モジュールを介して通信を促進し、且つ／又は人検出及び／又は位置モジュールを利用して、建物内の人を検出し、且つ／又は建物内の人の位置を特定するように制御され得る、システムを含むと言われ得る。
【００２４】
そのような状況では、人を検出し、人の位置を特定し、且つ／又は建物内の人との通信を可能にし得ることが望ましい。しかしながら、通常の電気通信及び／又は位置特定デバイスは、常に機能するわけではない。バックアップシステムの提供は、高価であることがあり、保証されないことがある。ネットワーク端末、アクセスポイント及びモバイルデバイス等の通信チャネル及び電子デバイスへの電力バックアップの提供も望ましい。
【００２５】
通常、建物は、イベントが発生した場合、緊急照明を提供する緊急照明システム（照明機器システム）を有する。これらは、無停電電源等のそれ自体の独立した電源を有し、通常の電源が故障した場合でも照明の提供を可能にする。本発明者らは、追加のサービスを提供するそのような緊急照明システムネットワーク及び／又は関心のある照明機器サイネージポイント（例えば、トイレ、情報ポイント、リフト等）システムネットワークの利用の方法を決定した。本明細書に開示される実施形態は、既存の緊急照明機器、照明デバイス及びネットワークを利用することにより、イベント時、建物内で人の通信及び場所特定／検出を支援するデバイス及び／又はシステムを提供する。
【００２６】
実施形態について以下の図面を参照して説明する。
【図面の簡単な説明】
【００２７】
【図１】建物内で人を場所特定し、且つ／又は人からの通信を可能にする通信機能及び／又は場所特定機能を有して構成された照明機器ネットワークを有する建物フロアプランを図形式で示す。
【図２】磁力計、ジャイロスコープ、気圧計及び加速度計等を含むモバイルデバイス内蔵センサを使用するＢＬＥ及びＷＩＦＩ、ＬｉＦｉ及び／又は他の技術範囲を使用する緊急照明機能、無停電電源機能、通信機能及び場所特定サービスを有して構成された照明機器の一例をブロック図形式で示す。
【図３Ａ】通信機能及び／又は場所特定機能を提供する本明細書に記載される実施形態によって構成された照明機器のネットワークの例示的な一実施形態をブロック図形式で示す。
【図３Ｂ】図３Ａのネットワークにおける照明機器使用の例示的な一実施形態をブロック図形式で示す。
【図４Ａ】通信機能及び／又は場所特定機能を提供する本明細書に記載される実施形態によって構成された照明機器のネットワークの例示的な別の一実施形態をブロック図形式で示す。
【図４Ｂ】図４Ａのネットワークにおける照明機器使用の例示的な一実施形態をブロック図形式で示す。
【図４Ｃ】図４Ａのネットワークにおける照明機器使用の例示的な一実施形態をブロック図形式で示す。
【図５】本明細書に記載される実施形態による、取り外し可能な通信構成要素を有する照明機器の物理的構成の例示的な一実施形態を図形式で示す。
【図６】図５の照明機器と併用するための取り外し可能な通信構成要素の構成を図形式で示す。
【図７Ａ】例えば壁内に照明機器を収容／搭載するための居住固定具を示す。
【図７Ｂ】例えば壁内に照明機器を収容／搭載するための居住固定具を示す。
【図８】２段階ＵＰＳ照明機器実施形態を図形式で示す。
【図９】２段階ＵＰＳ照明機器実施形態において電源がどのように制御されるかの流れ図である。
【図１０】２段階ＵＰＳ照明機器実施形態がどのように壁搭載照明機器及び天井搭載照明機器として設置され得るかをブロック図形式で示す。
【図１１】例示的な天井搭載２段階ＵＰＳ照明機器実施形態を示す。
【図１２】例示的な出口標識２段階ＵＰＳ照明機器実施形態を示す。
【図１３】例示的な一使用事例状況の平面全体図を示す。
【図１４】例示的な一使用事例状況の別の平面全体図を示す。
【図１５】例示的な一使用事例状況の別の平面全体図を示す。
【図１６】例示的な一使用事例状況の別の平面全体図を示す。
【図１７】例示的な一使用事例状況の別の平面全体図を示す。
【図１８】例示的な一使用事例状況の別の平面全体図を示す。
【図１９】例示的な一使用事例状況の別の平面全体図を示す。
【図２０】例示的な一使用事例状況の別の平面全体図を示す。
【図２１】例示的な一使用事例状況の別の平面全体図を示す。
【図２２】例示的な一使用事例状況の別の平面全体図を示す。
【図２３】例示的な一使用事例状況の別の平面全体図を示す。
【図２４】照明機器が、建物の居住者を検出する二重モード方法をどのように利用することができるかを示す。
【図２５】照明機器が、建物の居住者を検出する二重モード方法をどのように利用することができるかの流れ図である。
【発明を実施するための形態】
【００２８】
図１は、通信機能、人検出機能及び／又は人場所特定／位置特定機能を提供するために、本明細書に記載されるように構成された照明機器１１のネットワーク１２を含むシステム／ローカルエリアネットワークと同一平面に建物１０のフロアプランを概略ブロック図形式で示す。図１は、これらの機能及び外部モバイルデバイスをサポートするための電力バックアップも提供する。照明機器は、適した場所に搭載され、自然災害又は人によってトリガーされた緊急状況等のイベントの発生時に照明する緊急照明ネットワークを提供する。そのような照明機器は、そのようなイベント中、建物内の人１１ａを支援する照明を提供する。例えば、そのような照明は、典型的に、床、壁の人１１ａの手が届く適切な高さ及び／又は天井等、緊急状況において人１１ａの手が届く所にあり得る。照明機器は、主に、照明及び／又は通信カバレッジで以下のエリアをカバーする：出口／入口、消防進入路、階段、回廊、通路及び閉じられた空間／部屋。
【００２９】
手短に言えば、照明機器１１は、緊急状況等のイベント時にオンになり（アクティブ化され）、人々を誘導し、建物から出られるようにする照明（緊急照明等）を提供するように構成される。照明機器は、通常の電気／ＡＣ電源が遮断された場合でも照明機器の動作を可能にする、無停電電源（ＵＰＳ）等のそれ自体の電源を有する。照明機器は、通常、停電、火災、地震及び通常の電力／通信が遮断される他の自然災害又は状況等の状況でアクティブ化され、緊急照明を提供する。
【００３０】
本明細書に記載される照明機器１１は、既存の照明機器１１及び照明機器ネットワーク１２によって提供される機能及び基盤を利用する追加の機能を有するように変更／構成される。通常、建物は、照明機器を使用する緊急照明システムが提供されるため、これらを利用して追加の場所特定、検出及び通信機能を提供することは、他の場合にそのような基盤が保証されないイベント中、建物内の人１１ａに支援を提供できるようにする。例えば、緊急状況時、照明機器のネットワーク１２を使用して、建物内の人１１ａを場所特定することができ、且つ／又はそれらの人１１ａが建物内若しくは外部世界の第三者と通信できるようにする。変更された照明機器は、通信、人検出及び／又は人場所特定／位置特定のためのローカルエリアネットワークを提供することができる。位置特定機能は、ＢＬＥ及びＷｉ−Ｆｉ等の通信構成要素を利用することができる。
【００３１】
特に、ネットワーク内の照明機器の１つ又は複数は、通常の電気通信システム（インターネット、携帯電話通信サービス及び／又は陸線電話回線サービス）が機能してない場合でも、建物内の人１１ａが建物内外の第三者（緊急サービス１５及び／又は米国内の緊急応答機関等）との通信を引き起こすことを可能にする通信機能を有して構成される。通信機能は、例えば、携帯電話等の個人携帯通信デバイスを使用して、建物内の人１１ａがアラート、テキストメッセージ、ボイス／ビデオメッセージ又は任意の他のデータ若しくは通信を第三者に送信できるようにする。これにより、建物内の人１１ａは、イベント／緊急時に支援を得、自身の居場所及び存在を示し、一般に外部世界にいる人々と情報を提供／受信することができる。加えて、照明機器１１は、例えば、１４ａとして人をラベルした屋内仮想マップ１４を使用して建物内の人１１ａの検出及び／又は人の位置の検出若しくは識別を可能にする場所特定機能を有して構成される。次に、この情報は、内部又は外部の第三者に中継することができ、それにより、誰が支援を必要としているか及び救助等の誰が支援を提供する必要があるかを突き止めることができる。機能は、非緊急状況で利用することもできる。ネットワーク内の１つ又は複数の照明機器は、マスタとして構成することができ、及び他は、スレーブデバイスとして構成することができる。
【００３２】
図２は、通信及び／又は場所特定／位置特定機能を提供するように構成された照明機器１１を概略ブロック図形式で示す。照明機器は、少なくとも１つの（例えば、緊急）照明モジュール２０と、ＵＰＳ（例えば、電池）等の無停電電源２１と、１つ又は複数の通信構成要素を含む少なくとも１つの通信モジュール２２と、停電時に機能するようにトリガーされ得るＰＩＲ検出器を含め、１つ又は複数の位置特定／検出構成要素を提供する少なくとも１つの検出及び／又は位置特定モジュールとを含む。通信構成要素は、Ｗｉ−Ｆｉ又はＢｌｕｅｔｏｏｔｈ（例えば、Ｂｌｕｅｔｏｏｔｈ低エネルギー−ＢＬＥ）等の１つ又は複数であり得る。場所特定／位置特定構成要素は、モバイルデバイスの典型的な内蔵センサと協働するＢＬＥビーコン、Ｗｉ−Ｆｉ、ＧＰＳ又は赤外線検知等の１つ又は複数であり得る。これらは、人１１ａ及び／又は人１１ａのモバイルデバイスを検出／場所特定／位置特定して、通信チャネルを介して、照明機器通信を介して人１１ａの位置／検出を報告することができる。照明機器機能、モバイルデバイス及びそのセンサの組合せにより、人１１ａの検出／場所特定／位置特定が可能になる。他の構成要素及び特徴を提供することもでき、これらについてより詳細に後述する。コントローラ２４は、照明機器の機能及び構成要素を制御するために提供される。記載された全ての構成要素を提供する必要があるわけではなく、それらのサブセットのみが存在し得る。
【００３３】
各照明機器１１は、例えば、Ｂｌｕｅｔｏｏｔｈ及び／又はＷｉ−Ｆｉ通信を使用して、有線（説明又は図面では「通信線」と呼ばれることがある）又は無線ネットワーク１８を通して他の照明機器１１と必要に応じて通信することができる。ネットワーク１２内の各照明機器１１は、マスタ又はスレーブ照明機器であり得、マスタ照明機器は、有線又は無線ネットワーク等の適した手段を介して第三者と通信することができ、照明機器ネットワーク１２自体内の通信を制御することができる。例えば、マスタ照明機器１１は、システムのインターネットデータ／コンピュータネットワークサーバ１３を通して、電気通信ネットワーク１３ａを介して外部当事者と通信することができる。外部当事者は、緊急サービス１５、資産マネージャ又は建物セキュリティ等であり得る。
【００３４】
照明機器１１及び照明機器のネットワーク１２は、陸線、携帯電話、Ｗｉ−Ｆｉ及びインターネットネットワーク、ＧＰＳ又は他の場所特定及び／若しくは通信サービス等の通常の電気通信が動作しない状況で機能することができる。変更された照明機器１１は、停電に起因して通常の通信チャネルが機能していない場合、照明機器の緊急電源を利用して、通信及び位置特定／検出モジュールを動作させ、これらは、緊急通信チャネルを提供する。
【００３５】
ここで、システム及び照明機器の例示的な実施形態について説明する。第１の実施形態は、単一ＵＰＳ（無停電電源）を有する照明機器に関し、第２の実施形態は、更なるバックアップとして第２のＵＰＳを有する照明機器に関する。これらが非限定的な例であることが理解されるであろう。
【００３６】
例示的な実施形態  −  単一ＵＰＳ壁搭載照明機器
ここで、図３Ａ、図３Ｂを参照して第１の実施形態について説明する。図３Ａは、考察されるように変更された照明機器１１を使用して、照明機器ネットワーク１２を構成する照明、電力バックアップ、場所特定／検出及び通信システムの可能な一実施形態を示す。図３Ｂは、ネットワーク／システムで使用される対応する照明機器１１の可能な一実施形態を示す。ネットワーク１２は、２つの壁搭載照明機器モジュール１１（マスタ／スレーブ）を含み、例として、図３Ａに示されるように建物スペース１２内に配置され、互いに通信することができる。２つのそのような照明機器モジュール１１は、例として示されるが、ネットワークが設置された建物にカバレッジ及び機能を適宜提供するために、任意の適した数の照明機器モジュールを提供し得ることが理解されるであろう。壁搭載照明機器モジュールに加えて、他の照明機器（これも通信及び場所特定機能を有して構成されるが、異なる形態でパッケージングされる）１１を提供することもできる。例えば、２つの天井搭載照明機器モジュール１１を緊急出口標識照明機器モジュールと共に提供することができる。照明機器モジュール１１の幾つか又は全ては、通信、場所特定／位置特定及び／又は検出機能を有して構成され得、全てネットワークにおいて互いに通信して、システムを提供することができる。照明機器モジュール１１の何れか又は全ては、建物内の人１１ａが携帯する携帯電話等のモバイル通信デバイスと通信することができる。照明機器モジュール１１は、通信又は他のネットワークを通したモバイルデバイスから第三者への通信を可能にする。これは、インターネット、モバイル通信技術又は他のネットワーク通信技術を通したものであり得る。外部当事者は、電話回線、ＶＯＩＰ、アプリ、サーバ、データ又は任意の他の適した技術を使用して任意の適した様式で通信することができる。
【００３７】
図３Ｂは、壁搭載照明機器モジュール１１をより詳細に示す。壁搭載照明機器モジュール１１は、筐体４０を含む。コントローラ４７は、照明機器モジュールの構成要素及び全体機能を制御するのに提供される。照明機器モジュール１１は、この場合、電池の形態の無停電電源の形態の緊急電源２１を含む。無停電電源若しくは周辺構成要素及び／又は携帯電話等の外部デバイスにＵＰＳから充電するための誘導性無線充電ユニット４２もあり得る。照明機器１１は、発光ダイオード（ＬＥＤ）の形態の照明２０を有し、照明２０は、緊急電源２１から給電される。適切なランプシェードを含むこともできる。照明機器モジュール１１は、緊急等のイベントがあるときにトリガー／アクティブ化する回路を含むことができ、照明がアクティブ化及び照明されることになる。例えば、このトリガーは、通常の電気／ＡＣ電源が遮断されたときを検出し得る。代替の形態のトリガーを利用することもできる。例えば、それは、モバイルデバイスの近傍を通してトリガーし得、例えばモバイルスマートフォンが照明機器をアクティブ化して照明させ、通信、検出及び／又は位置特定機能を実行することができる。
【００３８】
照明機器モジュール１１は、Ｗｉ−Ｆｉ通信回路（例えば、Ｗｉ−Ｆｉアクセスポイント及び／又はルータ）４３（通信モジュール２２の一部を形成する）を有し、ＵＰＳによって給電される。人の携帯電話又は他のモバイルデバイスと通信することもできる。Ｗｉ−Ｆｉルータは、ＩＳＰゲートウェイに結合されて、インターネットプロトコル通信を介して通信して、通信を人のモバイル通信デバイスから照明機器ネットワークを介して外部当事者に中継する手段を提供する。ＩＳＰゲートウェイは、照明機器１１自体（ルータ及び／又はモデム）内にあることができる４４か、又は代替的に、ネットワーク端末及びモデム４６の場合、外部にあり、照明機器に接続することができる。Ｂｌｕｅｔｏｏｔｈ低エネルギー送受信機４５は、ＵＰＳによって給電され、人の携帯電話と照明機器モジュールとの間の通信のために提供される。
【００３９】
Ｗｉ−Ｆｉ（アクセスポイント）は、位置特定機能を提供することもできる。オンボード若しくはオフボードプロセッサ及び／又はオンサイト／オフサイトサーバは、近傍のモバイルデバイスによって提供された無線信号強度指標を受信し、処理／計算して、Ｗｉ−Ｆｉアクセスポイントに対するそれらのモバイルデバイス（したがってモバイルデバイスを携帯している人１１ａ）の位置を特定することができる。特に、モバイルデバイスユーザがこれらの任意のエリアに近づいたとき、建物のエリア内のＷｉ−Ｆｉアクセスポイントの全てから発行された無線信号（フィンガープリント）を物理的に／手動で収集／記録して、サーバに記憶するデータリソースを形成することができる。モバイルデバイスのＭＡＣ  ＩＤ及び無線信号強度指標（ＲＳＳＩ）フィンガープリントは、サーバに送信されて、サーバに前に記憶されたデータに対するその位置を計算し得る。データを収集するプロセスは、ユーザがサーバのアプリケーションから入手可能であり、ユーザのスマートフォンにインストールされるソフトウェアツールキットを用いて照明機器モジュール１１をインストールする際、サブスクライバモバイルデバイスによって行われ得る。したがって、モバイルデバイスユーザに関連した全てのＷｉ−Ｆｉアクセスポイント（ルータ）のＲＳＳＩ無線信号（フィンガープリント）のデータリソースを取得し得る。
【００４０】
同様に、ＢＬＥ無線信号強度データも同様にモバイルデバイス／人１１ａの場所の特定に使用することができる。この位置特定情報は、照明機器のネットワークを経由してＢＬＥ、Ｗｉ−Ｆｉ及び照明機器の他の通信機能を使用して外部当事者に通信することができる。
【００４１】
照明機器は、例えば、運動センサ、近接センサ及び／又は物体センサを通して（例えば、ＩＲ運動センサ又は熱センサ等を使用して）１人又は複数の人１１ａの存在を検出することもできる。
【００４２】
変更されたスレーブ／シスタ照明機器１１が実際の人１１ａ及び／又はモバイルデバイスを検出した場合、データは、ユニットの周辺構成要素において記憶及び処理され、それからマスタ照明機器装置の中央プロセッサコントローラ４７に送信されて処理され、サーバに送信され、サーバを通して、緊急サービス１５を含むサブスクライバ／ユーザは、種々のモバイルデバイスと共有することもできる。
【００４３】
照明機器モジュール１１は、通信信号を改善する任意選択的なリムーバブルルータ／ＲＦ信号エンハンサも有する。
【００４４】
照明、通信及び位置特定機能に加えて、照明機器１１は、以下の１つ又は複数を任意選択的に含むように構成又は適合することもできる。
・ＵＰＳバックアップ電力ソケット４８を有して、通常時及び停電時も同様にＵＰＳから最近傍のネットワークインターフェースデバイス（インターネットネットワーク端末）及び外部アクセスポイント／ルータ／ゲートウェイへの電力をサポートすることができる。そのようなネットワークインターフェースデバイスをそのＵＰＳソケットに接続することにより、ＩＳＰ（インターネットサービスプロバイダ）の通信ネットワーク端末への電力供給をセキュア化する。このように、デバイスは、停電時、妥当な時間枠で通常通りに機能して、停電寺に無停電電源を供給して、ローカルエリアネットワークのインターネット及びＷｉ−Ｆｉサービスアクセスをセキュア化することができる。ソケット４８は、建物内で困難な状況に陥り、建物の内外との通信を維持するために、より重要なことには自身の屋内位置を明らかにするために電力を必要とし得る居住者が携帯する等の他の外部デバイスへの給電に使用することもできる。照明機器モジュール１１は、ＵＰＳ電力バックアップをモデム／ルータ／Ｗｉ−Ｆｉに供給することもできる。
・モバイル通信デバイス（例えば、携帯電話）等のデバイスを充電するためのＵＳＢ充電ソケットを有することができる。モバイル通信デバイスの無線充電ホルダを有することもできる。通常のＡ／Ｃ給電家電又は他のデバイスに供給するためのＡＣ電源もあり得る。
・主電源にハードワイヤードすることができるか、又は典型的な電力プラグを介して接続することができる照明機器自体のＡＣ電源があり得る。
・モバイルデバイスを受け、且つ／又は電力ソケットを通して若しくは誘導性充電を通して、ＵＰＳから若しくは照明機器によってアクセス可能な主電源から充電するためのモバイル電子デバイスホルダを有することもできる。
・リムーバブルルータ／ＲＦ信号エンハンサユニットを提供することができる。これは、人１１ａによって取り出され、携帯されて、カバレッジ及びそのモバイル通信デバイスから照明機器又は他の通信ネットワークへの通信を改善／拡張することができる。
・緊急トーチを照明機器モジュールに結合することができ、これは、照明がアクティブ化される場合にアクティブ化される。照明機器の電源から充電することができる。
【００４５】
記載された全ての構成要素を提供する必要があるわけではなく、それらのサブセットのみが存在し得る。
【００４６】
図５は、照明機器モジュールの可能な１つの物理的形態を示す。照明機器モジュールは、上部が丸い形状であり、下部が箱形の本体を有する筐体と、取り外し可能であり、本体内に嵌め込まれた家庭内ＲＦ／無線ルータと、本体の外側に取り付けられるように適合されたトーチと、様々な充電及び電力ポートと、モバイルデバイスの無線充電を促進するための成形された棒ストッパーを有する傾斜した背面とを含む。
【００４７】
図６は、照明機器モジュール筐体への圧入／ばね嵌合である取り外し可能な通信モジュールを示す。通信モジュールは、その上に通信モジュールを有する基板を含む。照明機器モジュールの筐体内の対応する充電点に結合する充電接点がある。照明機器モジュール筐体内の２つのばね及び取り外しユニット自体の１つのばねが提供される。取り外し可能な通信モジュールを設置するために、ばねロック／ストッパーを押し上げ、それから本体をプッシュし、ばね１に対し、ばね１は本体を嵌合部及び切り欠きにプッシュする一方、ばね安全ロックは、本体を所定位置に維持する。側方ばねは、取り外し通信モジュールを切り欠きの定位置に保持する。通信モジュールを取り外すには、ばね安全ロックストッパーがアンロックされ、それから本体をばねに押し当て、本体を持ち上げてから外部に向かって跳ね返す。
【００４８】
各照明機器１１は、壁等の適した場所に搭載することができる。建物内の出口点及び入口点、消防進入路、階段、回廊、通路並びに他の閉じられた空間／部屋の主要場所において、壁の人１１ａの手が届く適切な高さに嵌め込むことができる。図７を参照すると、ボックス又は筐体固定具７０を使用して、各照明機器を壁又は壁の窪み／キャビティに搭載することができる。照明機器は、筐体内に置かれる。筐体の正面／ドアは、下枠のキャッチを用いて上方に開くことができる電磁キャッチドア等のキャッチを有する。透明な軽量材料、例えば透明プラスチックで、ＡＣ電力によって制御される電磁キャッチポイント／デバイスを有する枠と共に作ることができ、そのような正面／ドアは、ＡＣ電源故障時に解放される。照明機器は、ＡＣ電源に配線され得、且つ／又は標準のコンセントを介して接続され得る。
【００４９】
これは、照明機器及び照明、通信及び場所特定／検出システムの単なる例示的な一実施形態である。当業者は、変形形態が可能であることを理解するであろう。ここで、より多くの幾つかの実施形態について説明する。
【００５０】
例示的な実施形態  −  １段階ＵＰＳ出口標識天井搭載照明機器
図４Ａ〜図４Ｃは、代替の一実施形態を示す。この実施形態は、第１の実施形態と同じ特徴の多くを有するが、幾つかの違いを有する。例えば、図４Ａ〜図４Ｃに示される実施形態は、ＵＰＳバックアップ電力ソケット４８を有さず、またＵＳＢ電力充電ソケット、緊急トーチも有さない。異なる組合せを有する他の実施形態も可能である。
【００５１】
例示的な実施形態  −  二重ＵＰＳ照明機器
ここで、別の例示的な実施形態について説明する。この実施形態は、追加のバックアップのために２段階ＵＰＳ（無停電電源）を使用する。これは、２つの段階若しくは動作モードを有する１つのＵＰＳ又は各ＵＰＳが２つの段階若しくは動作モード（すなわち電源）の１つを提供する二重ＵＰＳを含むことができる。実施形態の多くの態様は、上述したものと同じであるが、幾らかの説明をここで行う。実施形態が完全に説明されない限り、上記実施形態の説明がここで関連することが当業者に理解されるであろう。
【００５２】
図８は、建物内で人の存在を検出し場所特定し、且つ／又は人からの通信及びそのような通信の電力バックアップを可能にする、通信及び／又は場所特定／位置特定及び電力バックアップ機能を提供するように構成された照明機器１１１の一実施形態を全体概略図ブロック図形式で示す。照明機器１１１は、発光ダイオード（ＬＥＤ）の形態の少なくとも１つの（例えば、緊急）照明モジュール２０及び２０Ａを含み、照明モジュール２０Ａは、緊急時等のイベントに応答してアクティブ化及び照明され得る一方、照明モジュール２０は、常時アクティブ化されて、周囲光を照明し得る。
【００５３】
照明機器１１１は、通常ＡＣ／ＤＣ電源及び／又は変換器２１も含む。照明機器１１１は、通常時及び／又は停電時の両方でインターネットネットワーク端末、ゲートウェイ／ルータ及び／又はユーザのモバイルデバイス等のインターネット接続、外部周辺機器及びモバイル電子デバイスに電力バックアップを提供する少なくとも１つの外部ＡＣ／ＤＣコンセント及び／又は無線充電ポイント２１Ｂも有する。照明機器１１１はまた、１つ又は複数の通信構成要素を含む少なくとも１つの通信モジュール２２と、停電中にアクティブ化することができる、運動センサ（例えば、ＰＩＲ検出器又は熱センサ等）を含めた１つ又は複数の位置特定／検出構成要素を提供する少なくとも１つの検出及び／又は位置特定モジュール２３とを含む。通信構成要素は、Ｗｉ−Ｆｉ又はＢｌｕｅｔｏｏｔｈ（例えば、Ｂｌｕｅｔｏｏｔｈ低エネルギー（ＢＬＥ））送受信機／送信機２４等の１つ又は複数であり得る。通信構成要素は、通常時及び／若しくは停電があるとき並びに／又は緊急イベント中に機能するようにトリガーすることができる。通信構成要素は、照明機器１１１から脱着可能であり得るＷｉ−Ｆｉ又はインターネット接続２５のためのＢＬＥゲートウェイ等の１つ又は複数を含むこともできる。
【００５４】
場所特定／位置特定構成要素は、人のモバイルデバイスの内蔵ＢＬＥセンサと対話することができる。場所特定／位置特定構成要素は、人の運動及び／又は人の赤外線体温を検出することもできる。場所特定／位置特定構成要素は、ＢＬＥビーコン、Ｗｉ−Ｆｉ、磁力計、ジャイロスコープ、気圧計及び加速度計、赤外線検知又はモバイルデバイス内の他の内蔵センサ等の１つ又は複数と協働することができる。場所特定／位置特定構成要素は、照明機器１１１が人及び／又は人のモバイルデバイスを検出／場所特定／位置特定できるようにすることができる。
【００５５】
照明機器１１１は、第１の段階及び第２の段階において動作するＵＰＳ（又は１つが第１の段階で動作し、１つが第２の段階で動作する２つのＵＰＳ）を有する。以下では、第１の段階のＵＰＳ及び第２の段階のＵＰＳへの参照は、単一ＵＰＳ構成又は二重ＵＰＳ構成と呼ぶことができ、それらの何れも２つの動作段階を提供することができる。停電に対処するために複数段階のＵＰＳを有する複数のモードの電源が、照明機器１１１の照明及び全ての通信構成要素を含めた全ての構成要素に提供される。第２の段階のＵＰＳ源は、単に、通常電源が再開するまで、人の存在の検出及び位置特定を維持するために電力を供給することができる。このようにして、第２の段階のＵＰＳは、第１の段階のＵＰＳよりも長く続くことができる。第１の段階は、第１の時間期間にわたって照明機器１１１（より多くのエネルギーを消費すると見なされる）に電力を供給することができる一方、第２の段階のＵＰＳは、より電力需要が少ない検出、位置特定及び通信機能に供給することができ、したがって、好ましくは第１の時間期間よりもはるかに長い第２の時間期間にわたって検出／位置特定／通信機能に給電することができる。通常時、２１のＡＣ電源が電力供給源である一方、停電中、第１の段階のＵＰＳは、アクティブ化されて、照明要素並びに全ての通信及び検知構成要素をサポートする。ＵＰＳの電力が低くなると、ＵＰＳは、第１の段階での動作から第２の段階での動作に切り替わることができ、それにより、照明機器１１１は、モバイルデバイスから無線周波数信号を引き続き検出し、体の移動を引き続き検出することができる。第２の段階は、通常電源が再開する前に検出、位置特定及び場所特定機能への電源を提供する。ＵＰＳは、任意選択的に、照明機器１１１から取り外し可能／脱着可能であり得る。ＵＰＳは、２つの電池ユニットを含み得、少なくとも１つの電池ユニットは、照明機器１１１から取り外し可能／脱着可能である。
【００５６】
コントローラ２６は、照明機器１１１の機能及び構成要素を制御するのに提供される。予備の脱着可能且つ充電可能なトーチ２７が提供される。
【００５７】
記載された全ての構成要素を提供する必要があるわけではなく、それらのサブセットのみが存在し得る。
【００５８】
図９は、２段階ＵＰＳ照明機器１１１のフローチャートを示す。２段階ＵＰＳの動作は、コントローラによって制御される。ここで、例として、図９を参照して、多段階ＵＰＳが照明機器１１１の信頼度をどのように改善することができるかを考察する。概説では、２段階ＵＰＳは、２つの段階又は動作モードを提供し、それにより、第１の段階／モードでは、特定の（第１の）時間期間にわたり、バックアップ電力が、照明モジュール２０、通信モジュール２２、運動検出器２３、Ｂｌｕｅｔｏｏｔｈビーコン２４、ゲートウェイルータ２５及びコントローラ２６によって提供される機能を含めた照明機器の全ての態様に提供され、それにより、第２の段階／モードでは、第１の時間期間に続く第２の時間期間にわたり、構成要素のサブセットのみが給電され、サブセットは、限定ではなく、運動検出器２３、Ｂｌｕｅｔｏｏｔｈビーコン２４及びコントローラ２６を含む場所特定及び／又は通信機能を提供するためにより重要な構成要素のサブセットである。第１の時間期間では、全ての機能に給電され、第２の時間期間では、より重要な構成要素のサブセットのみが給電される。これは、より多くの重要な構成要素をＵＰＳによって給電することができる時間を増大させる。
【００５９】
より具体的には、図９は、２段階ＵＰＳが照明機器１１１内でどのように動作することができるかの流れ図を示す。デフォルトにより、照明機器１１１は、ＡＣ／ＤＣ電源を介して主電源によって給電される。建物が停電を経験する場合（ステップ１４１）、照明機器１１１は、主電源によってもはや給電することができず、代わりに第１の段階／モードで動作しているＵＰＳによって給電されなければならない（ステップ１４２）。照明機器１１１が第１の段階のＵＰＳによって給電されている間、照明機器１１１は、上述したように、照明モジュール２０、通信モジュール２２、運動検出器２３、Ｂｌｕｅｔｏｏｔｈビーコン２４、ゲートウェイルータ２５及びコントローラ２６によって提供される機能を含めて全ての機能を引き続き提供することができる。好ましくは、第１の段階のＵＰＳ２１ａは、インターネット接続の電力バックアップを含めて、照明機器１１１の全機能をサポートするために、停電持続時間よりも長い持続時間にわたって電力を提供するように構成され得る。しかしながら、建物への主電源が回復しない場合（ステップ１４３）、ＵＰＳは、最終的に電力が低くなり得る（ステップ１４４）。この場合、ＵＰＳは、第１の動作段階（モード）から第２の動作段階（モード）に動作を切り替えることができる（ステップ１４５）。ＵＰＳがその最終動作段階（この例では第２の動作段階）で動作している場合、コントローラ３は、最小量の電力を消費すると思われる機能サブセットに電力の供給を制限する。例えば、コントローラ３は、単純に、通信モジュール２２のみに電力供給を制限し得る。又はより一般的に、第２の段階で動作しているＵＰＳ２１Ｃは、運動検出器２３、ＢＬＥビーコン送受信機／送信機２４及びコントローラ２６がアクティブのままであり、それにより、照明機器１１１の通信／検出／場所特定機能が動作可能なままであるように、メッシュネットワーク内部の通信／検出／場所特定機能を維持するように運動検出器２３、Ｂｌｕｅｔｏｏｔｈビーコン２４及びコントローラ２６への電力供給源になる。長い時間期間にわたってそのような通信／検出／場所特定機能を低エネルギー消費でサポートし得る第２の段階のＵＰＳは、より長い時間にわたって電力を提供する。主電源が回復する（ステップ１４６）と、照明機器１１１は、電力を主電源から消費することができる。
【００６０】
照明機器１１１は、１つ又は複数のＵＰＳによって提供される３つ以上の段階のＵＰＳを用いて給電され得ることを当業者は認識するであろう。照明機器１１１内の様々な構成要素２１〜２７への電力供給を制御且つ／又は制限する他の方法もあることを当業者は認識するであろう。
【００６１】
まとめると、図９の２段階ＵＰＳ制御方法は、一例では、以下を行うことができる：第１のモードにおいて、ＵＰＳ（無停電電源）は、電力を少なくとも１つの照明モジュール２０、少なくとも１つの通信構成要素（モジュール）２２、運動検出器２３等の少なくとも１つの人検出及び／又は位置特定構成要素、Ｂｌｕｅｔｏｏｔｈビーコン２４、ゲートウェイルータ２５、コントローラ２６に提供する。第２のモードにおいて、ＵＰＳ（無停電電源）は、電力を運動検出器２３等の少なくとも１つの人検出及び／又は位置特定構成要素、Ｂｌｕｅｔｏｏｔｈビーコン２４、コントローラ２６に提供する。ＵＰＳ（無停電電源）は、電力がなくなりつつある場合、第１のモードでの動作から第２のモードでの動作に切り替わるように構成される。好ましくは、コントローラ２６は、常時、ＵＰＳによって給電されるように構成される。
【００６２】
図１０は、２段階ＵＰＳ照明機器１１１  −  本明細書に記載される壁搭載緊急照明機器１１Ａ及び天井搭載緊急照明機器１１Ｂ  −  をどのように設置し得るかをブロック図形式で示す。これは、変更及び再構成された緊急照明機器１１１を使用して人及び人のモバイルデバイスの検出、位置特定／場所特定のノードの照明機器ネットワークを提供する。１１１ａ及び１１１ｂの２つのそのような照明機器デバイスが例として示されるが、ネットワークが設置された建物にカバレッジ及び機能を適宜提供するために、任意の適した数の緊急照明機器デバイス１１１を提供し得ることが理解されるであろう。壁搭載緊急照明機器１１１ａに加えて、他の設計の緊急照明機器（これも通信及び場所特定機能を有して構成されるが、異なる形態でパッケージングされる）１１１を提供することもできる。例えば、２つの天井搭載照明機器１１１ｂを回廊における緊急出口標識照明機器１１１ｂ及び照明機器の壁搭載版１１１ａと共に伝搬範囲内の建物内の任意の場所に提供することができる。
【００６３】
各照明機器１１は、図１に開示されるように、壁及び／又は天井等の適した場所に搭載することができ、１１１ａの１つ又は複数は、壁の出口点及び入口点、消防進入路、階段、回廊、通路並びに個人宅、建物内の建物マネージャのオフィス等の他の閉じられた空間／部屋という所定の場所で床から２ｍ上等の人の手が届く適切な高さに嵌め込むことができ、他方では、天井搭載緊急照明機器１１１ｂは、従来の緊急照明及びライトユニット（特に任意の国の管轄下で法的緊急照明及びライト要件を満たすものである）の場所に設置され得る。
【００６４】
図１１は、図８及び図９を参照して上述した壁搭載照明機器１１１ａの可能な１つの物理的形態を示す。壁搭載照明機器１１１ａは、上部が丸い形状であり、下部が箱形の本体を有する筐体と、取り外し可能であり、本体内に嵌め込まれた家庭内ＲＦ／無線ルータと、本体の外側に取り付けられるように適合されたトーチと、様々な充電及び電力ポートと、モバイルデバイスの無線充電を促進するための成形された棒ストッパーを有する傾斜した背面とを含む。照明機器１１１ａは、筐体２８を含む。コントローラ２６は、この場合、蓄電池群の形態の無停電電源である主電源２１を含む照明機器１１１ａの構成要素及び全体機能を制御するのに提供される。照明機器１１１ａは、ＵＰＳ、周辺構成要素又は携帯電話等の外部デバイスにＵＰＳから充電するための誘導性無線充電ユニット２１Ｂを有することもできる。照明機器１１１ａは、発光ダイオード（ＬＥＤ）の形態の２０及び２０Ａの照明モジュールを有し、これらは、主電源２１から給電される。照明機器１１１ａは、適切なランプシェードを有することもできる。照明機器１１１ａは、救急時等のイベントがある場合、照明機器１１１をトリガー／アクティブ化する回路を含むことができ、ライトは、アクティブ化及び照明される。例えば、照明機器１１１ａは、主電源／ＡＣ電源が遮断された場合、トリガーされ得る。代替の形態のトリガーを利用して、例えばフロアレベル等の局所化エリアにおけるローカル緊急照明機器ネットワーク内の全ての緊急照明機器にわたって警告信号２０Ａを提供することができる。例えば、照明機器１１１ａは、近傍のモバイルデバイスを通してトリガーされ得、すなわちモバイルスマートフォンが照明機器１１１ａをアクティブ化して照明させ、通信、検出及び／又は位置特定機能を実行し、緊急アラートを発行することができる。
【００６５】
通信構成要素２２は、Ｗｉ−Ｆｉ及び／若しくはＢｌｕｅｔｏｏｔｈ送受信機並びに／又はＩＰＶ６等のインターネットプロトコル接続を有するビーコン送信機、インターネット接続ゲートウェイ及び／又はＩＥＥＥ８０２．１１ネットワーキング規格を使用したリムーバブルモデムルータ／ＲＦ信号エンハンサの１つ又は複数であるモバイルデバイス検出及び／又は位置特定モジュールの１つ又は複数の通信構成要素を含む。Ｂｌｕｅｔｏｏｔｈ送受信機及び／又はビーコン送信機は、上述した検出及び／又は位置特定モジュールに統合され得、且つ／又はユニバーサルシリアルバス（ＵＳＢ）プロトコルを使用してＵＰＳに個々に結合され得るか、若しくはボタン電池等の照明機器１１１ａから脱着可能であり得る個々のユニットであり得る。Ｂｌｕｅｔｏｏｔｈ送受信機及び／又はビーコン送信機のパラメータは、公衆情報データシステムの通りの物理的な住所及び建物に配備される緊急照明機器装置の水平及び垂直位置情報を含めて、建物内で照明機器１１１ａが配置された建物内の物理的な場所についての情報を含み得る。この情報は、特に停電中、居住者の居場所についての情報が主にＧＰＳ及びアクセスポイントＩＰアドレスをｐｉｎｇするＷｉＦｉによって得られるが、電力遮断によって妨げられ得るとき、救助者が建物の居住者の居場所を追跡できるようにするのに重要であり得る。
【００６６】
照明機器１１１ａは、例えば、運動センサ、近接センサ及び／又は物体センサ（例えば、ＩＲ運動センサ又は熱センサ等を使用して）２３を通して１人又は複数の人の存在を検出して、機能しているモバイルデバイスを必ずしも有するわけではない人を検出することができる。
【００６７】
多段階ＵＰＳによって給電されるＢｌｕｅｔｏｏｔｈ低エネルギー送受信機／送信機２４は、照明機器１１１ａと人のモバイルデバイスとの通信を促進して、建物内及び／又は外の第三者と通信するために提供される。照明機器１１１ａは、ＢＬＥ、ＷｉＦｉ及び／又はセルラ技術を使用して位置／場所データを取得することができ、ＧＰＳ、ＷｉＦｉ、Ｂｌｕｅｔｏｏｔｈ、ジャイロスコープの初期センサ、地磁気コンパス又は加速度計等のモバイルデバイスの内蔵近接位置特定センサと併せて、照明機器１１１ａは、建物内部の屋内位置特定を促進するように適合され得る。
【００６８】
ＢＬＥビーコンから取得されるＢＬＥ無線信号強度データを使用して、モバイルデバイスの位置／場所（建物内の人の場所を表すと仮定することができる）をマップに示すことができる。モバイルデバイスによって測定されたＲＳＳＩ（受信信号強度指標）は、ＢＬＥビーコンに関連してモバイルデバイスの場所の推定を提供するように較正することができる。Ｂｌｕｅｔｏｏｔｈビーコンによって位置特定されるモバイルデバイスの場合、そのような電力較正は、アラートモバイルデバイスが近傍のビーコン送信機の信号強度出力を能動的にスキャンし、測定するプロセスを含む。スキャン中、３つの無線信号を三辺測量と併せて（カルマンフィルタリング及びフィンガープリント法と共に）、位置特定精度を高めることができる。これには、近傍のモバイルデバイスによって提供された無線信号強度指標を受信し処理／計算して、照明機器１１１ａに対するモバイルデバイス（したがってモバイルデバイスを携帯している人）の位置を特定することができるオンボード若しくはオフボードプロセッサ及び／又はオンサイト／オフサイトサーバが関わる。特に、建物内の全てのＢｌｕｅｔｏｏｔｈビーコン送信機から発行された無線信号（フィンガープリント）は、照明機器１１１ａ及びシステムの設置及び配備中、物理的に／手動で収集／記録して、サーバに記憶することができるデータルックアップテーブルを形成し得る。モバイルデバイスがＢＬＥビーコンの近傍にある場合、上述した位置特定プロセスを開始することができる。モバイルデバイスのＭＡＣ  ＩＤ及び無線信号強度指標（ＲＳＳＩ）フィンガープリントをサーバに送信して、サーバに前に記憶されたデータに基づいてその位置を計算し得る。データ収集プロセスは、サブスクライバモバイルデバイスにより、サーバのアプリケーションから入手可能であり、スマートフォン等のユーザのモバイルデバイスにインストールされ得るソフトウェアツールキットによって行われ得る。したがって、モバイルデバイスユーザに関連してＢＬＥビーコン送信機によって取得されたＲＳＳＩ無線信号（フィンガープリント）データは、モバイルデバイスがＢＬＥビーコンの近傍に留まる限り、サーバに保持され、更新され得る。
【００６９】
実際の人及び／又はモバイルデバイスの位置を表す取得データは、まず、照明機器１１１ａの周辺構成要素において記憶及び処理され得る。次に、取得データは、プロクシマスタ照明機器として割り当てられた照明機器１１１ａの中央コントローラ２６に送信され得、それからシステムプラットフォームクラウドサーバに送信され、そこで位置特定データを第三者と共有し得る。緊急照明機器１１１ａのネットワーク（ネットワーク内の各照明機器１１１ａは、個人通信及び電力バックアップを促進するゲートウェイ／モデムルータを有して構成される）を有することで、建物内の人は、停電によって通常の電気通信システム（光ファイバ、固定無線、ＷｉＦｉインターネット、通信衛星、モバイル電話通信サービス及び／又は陸線電話回線サービス等）が機能していない場合でも、第三者（緊急サービス及び米国内の緊急応答機関等）とのオンライン及び／又はオフライン通信を引き起こすことができる。通信電力バックアップ機能は、停電時に建物内で困難な状況に陥った人が、例えば、携帯電話等の個人モバイル通信デバイスを使用することによって第三者にアラート、テキストメッセージ、ボイス／ビデオメッセージ又は任意の他のデータ若しくは通信を送信できるようにする。これにより、その人が異常イベント／緊急時中に支援を得、居場所を及び存在を示し、一般に外部世界の人と情報を交換することができる。
【００７０】
照明機器１１１ａは、Ｗｉ−Ｆｉ通信回路（例えば、Ｗｉ−Ｆｉアクセスモデム及び／又はルータ）２５（通信モジュール２２の一部を形成する）を有し、ＵＰＳによって給電される。照明機器１１１ａは、近傍の個人の携帯電話又は他のモバイルデバイスと通信することができる。Ｗｉ−Ｆｉルータは、宅内の光ファイバ、固定無線、衛星通信等の有線及び／又は無線ネットワーク端末と接続されるＩＳＰゲートウェイに結合されて、インターネットプロトコル通信によって通信して、通信を個人のモバイル通信デバイスから照明機器ネットワークを介して外部当事者に中継する手段を提供する。ＩＳＰゲートウェイは、照明機器１１１ａ自体にあり得る（ルータ及び／又はモデム）か、又は代替的に、ネットワーク端末及びモデム２５の場合、外部にあり、照明機器１１１ａに接続され得る（ネットワーク端末及びモデムは、ＷｉＦｉメッシュ等のＲＦ信号エンハンサ機能を有して、通信信号を改善することもできる）。そのようなＷｉＦｉアクセスポイントは、上述したように照明機器１１１ａに構成されたＢｌｕｅｔｏｏｔｈ送受信機／送信機機能と同様の屋内位置特定を促進することもできる。
【００７１】
緊急照明、電力バックアップ並びに通信及び位置特定機能に加えて、照明機器１１１ａは、任意選択的に、以下の１つ又は複数を含むように構成又は適合することができる。
・照明機器１１１ａは、通常時及び停電時も同様にＡＣ電源２１から電力を供給するため、且つ／又は最近傍ネットワークインターフェースデバイス（光ファイバネットワーク端末等のインターネットネットワーク端末）並びに光ファイバ、固定無線及び／又は衛星通信の何れかの外部アクセスポイント／ルータ／ゲートウェイへの無停電電源２１ａのためにＵＰＳバックアップ電力ソケット２１ｂを有することができる。照明機器１１１ａは、ネットワークインターフェースデバイスをそのＵＰＳソケットに接続することにより、電源をＩＳＰ（インターネットサービスプロバイダ）の通信ネットワーク端末に提供する。このように、デバイスは、停電時、妥当な時間枠にわたって通常通り機能して、停電時に無停電電源を供給して、インターネット及びローカルエリアネットワークのＷｉ−Ｆｉサービスアクセスをセキュア化することができる。ソケット２１ｂは、建物内で困難な状況に陥ることがあり、建物内及び／又は外の人と通信し、より重要なことには人の屋内位置を開示するためにモバイルデバイスを再充電することを望み得る居住者が携帯する等の他の外部デバイスに給電するのにも使用することができる。緊急照明機器１１１ａは、図３ａ及び図３ｂに開示されるように、少なくとも２段階によってマルチモード電源下で妥当な時間長にわたってＷｉ−Ｆｉモデム／ルータにＵＰＳ電力バックアップを供給することもできる。
・照明機器１１１ａは、モバイル通信デバイス（例えば、携帯電話）等のデバイスを充電するためのＵＳＢ電力充電ソケット２１ｂを有することができる。照明機器１１１ａは、モバイル通信デバイスのための無線充電ホルダを有することもできる。通常のＡ／Ｃ給電家電又は他のデバイスに供給するためのＡＣ電源が存在することができる。
・照明機器１１１ａは、照明機器１１１ａ自体のＡＣ電源２１を有することができ、主電源に配線することができるか、又は典型的な電力プラグを介して接続することができる。
・照明機器１１１ａは、ＵＰＳ２１ａと併せて２１ｂから又は照明機器１１１ａによってアクセス可能な主電源２１から電力ソケットを通して又は誘導性充電を介してモバイルデバイスを受け、且つ／又は充電するためのモバイル電子デバイスホルダを有することもできる。
・上記で開示したＲＦ信号エンハンサ２５を有する取り外し可能なモデム／ルータユニットは、ＷｉＦｉメッシュ等のＲＦ信号エンハンサ機能を有して、通信信号を改善することもできる。取り外し可能なモデム／ルータは、人によって取り出し、携帯されて、カバレッジ及びそのモバイル通信デバイスから照明機器１１１ａ又は他の通信ネットワークへの通信を改善／拡張することができる。
・同様に、ＵＰＳ電池２１ａに結合された脱着可能なモバイルバッテリーの組は、人によって取り出され、スマートフォン、ラップトップ及びウェアラブルデバイス等のモバイル電子デバイスの電力バックアップの追加の好都合な利用のために携帯され得る。
・緊急トーチ２７は、照明機器１１１ａに結合することができ、ＵＰＳ２１ａから充電することができる。ＢＬＥビーコン送信機２７ａをトーチ内部に埋め込むことができ、トーチの充電可能な電池がＢＬＥ送信機に安定した電源を提供することができる。停電時、建物内の人は、完全充電可能な電池レベルで直ちに待機状態の緊急トーチを使用することができる。トーチ２７は、スイッチ２７ｂをフリックすると、照明することができるのみならず、緊急アラートをトリガーすることもでき、埋め込まれたＢＬＥ送信機は、人の近傍にある照明機器１１１ａと通信して、モバイルデバイスの移動を追跡することができる方法と同様にＢＬＥ無線波によって位置及び移動を報告することができる。
【００７２】
記載された全ての構成要素を提供する必要があるわけではなく、それらのサブセットのみが存在し得る。
【００７３】
図１２は、緊急照明機器１１１ｂの別の可能な物理的な実施形態を示す。これは、天井又は壁搭載標識照明機器１１１ｂであり、火災時避難路、緊急脱出のための階段等の共用エリア及び廊下、ロビー、中２階及び居住者が存在する可能性がある建物内の他の場所で天井又は壁搭載することができる。緊急照明機器１１１ｂは、私設宅内に設置され得、且つ／又はイベント時の支援提供を促進するために停電に応答して通常緊急ライトとして使用するためにも同様に設置され得る。
【００７４】
多くの法域は、避難のための最小緊急照明を提供するための必須距離可視性（例えば、２４ｍ可視性等）を設定している。多くの場合、狭い空間（回廊、避難路、階段等）において、三辺位置特定に十分なノードがないことがある（三辺位置特定では、少なくとも３つの無線ポイントが必要であり、３つのノードが提供されないことがある状況で可能でない）。この状況は、近傍で３つ未満の照明機器１１１及び／又は他の緊急設備の結合されてプロビジョニングされたノードが配備された多くの建物で一般的である。更に、人が、例えば、モバイルデバイス１１２ｂ等の機能しているモバイルデバイスを所有していないことがあるため、ＢＬＥ三辺測量を使用して人の場所を推定することが可能でないことがある。運動センサ２３が建物内の全ての建物居住者の位置を捕捉し得ることも好ましい。これは、建物内の人の総数を報告するために有用である。
【００７５】
図２４及び図２５は、無線信号及び体が動く人に基づいて建物居住者の位置を検出／場所特定する二重モード方法を有して構成された、停電及び避難時に使用される照明機器１１１の一例の機能動作フローチャートをブロック図形式で示す。ＢＬＥビーコンを使用して、モバイルデバイスの場所を追跡することができ、運動センサ２３を使用して、上記モバイルデバイスを所有した建物居住者の場所を追跡することができる。これらの２つの機能を一緒に結合することは、建物居住者の場所精度の改善に役立つことができる。図２４及び図２５は、停電中又は避難中に使用され得る照明機器１１１に構成された二重モード位置特定システムの一例の例示的な動作実施形態及びフローチャートを示し、照明機器１１１は、ＢＬＥビーコン送受信機及び／又は送信機２４及び運動（体移動）センサ（例えば、ＰＩＲ運動センサ又は熱センサ等）２３と統合される。照明機器１１１は、任意選択的に、ＩＥＥＥ８０２．１５等の同じ通信規格を使用するアラーム、煙探知器、火災スプリンクラー等の緊急機器の他のノードに接続され得る。照明機器１１１は、幾つかの状況では、少なくとも３つのノードを必要とする三辺測量位置特定が可能でないことがある、ユーザのモバイルデバイスによってスキャンすることが困難な位置に配備されることがある（照明機器１１１が、回廊、避難路、階段等の狭い空間の上の天井に搭載される等の不良な向きで配置されることがあるため）。この種の状況では、ＢＬＥビーコンと人のモバイルデバイスとの間の方向性距離を表すＲＳＳＩ値は、常に正確で信頼できるものであるわけではなく、且つ／又はモバイルデバイスによるＲＳＳＩスキャンが失敗することがあるため、三辺測量が可能でないことがある。三辺測量を使用して建物居住者の位置を推定することが可能でない場合、運動センサ２３によって測定された測定値を使用して、そのような狭い空間において短距離にある人１２ａの存在を捕捉し得る。
【００７６】
ＢＬＥビーコン送信機２４の電力設定は、比較的長距離送信するように設定され、モバイルデバイス１２ａがモバイルデバイス１２ｃよりもビーコン送受信機及び／又は送信機２４に近いことを示す１２ａによるスキャンＲＳＳＩ値が１２ｃよりもはるかに大きい、２人のモバイルデバイスの建物居住者１２ａ及び１２ｃがこれらの２つのモバイルデバイスによるスキャンで検出される場合、その送信無線波送信が垂直及び水平の両方で建物全体をカバーできるようにする。モバイルデバイス１２ｂを所有する（しかし、モバイルデバイスを使用してない）人は、運動センサ２３によって捕捉され得る。
【００７７】
図２５は、三辺測量位置特定が可能でない状況で二重モード位置特定方法をどのように使用し得るかを示すプログラミングフローチャートを開示する。ＢＬＥ送受信機／送信機２４は、最良伝搬範囲設定の最大電力に基づいて長距離検出に設定され得る。それと併せて、ＰＩＲ運動検出も、人の任意の存在の短距離検出のために使用され得る。モバイルデバイス位置が建物居住者の位置に近いと判断される場合、建物居住者は、モバイルデバイスを所有すると推測することができる。この場合、最高ＲＳＳＩ値（この値は、人のモバイルデバイスによってスキャンされる）は、モバイルデバイスの人の存在の二重確認として、運動センサ２３によって測定された測定値と突き合わせて相互参照することができる。これは、最高ＲＳＳＩ値を生成したＢＬＥビーコンの水平及び垂直位置に基づいてモバイルデバイスの推定位置を得ることによって行われ得る。ＢＬＥビーコンの水平位置は、ＢＬＥビーコン２４の緯度及び経度座標を抽出することによって得ることができる。任意選択的に、モバイルデバイスのＲＳＳＩ（ＢＬＥビーコンとモバイルデバイスとの距離を表す値である）は、運度検出器からの人の平均距離と比較され得る。ＢＬＥビーコンの垂直位置は、照明機器が配置された物理的なフロアレベルの垂直高さ（この値は、ＢＬＥノード２４のパラメータとして記憶することができる）に基づいて推測され得る。
【００７８】
人が、機能しているモバイルデバイスを有さない場合、その人は、運動センサ２３の近い範囲内にいるとき、運動センサ２３によって検出され得る。人の位置は、機能しているモバイルデバイスを有する人を検出し得る方法と同様に特定され得る。加えて、建物内の人の総数並びに各人の水平及び垂直位置は、通信構成要素２２を通してリアルタイムで取得され得る。この情報は、マルチホッピングメッセージング手段によって送信されて、最近傍のゲートウェイに送信され、オンラインクラウドプラットフォームに送信され得、且つ／又は緊急呼び出し指令係、第１対応者、救助者、建物マネージャ及び警備員並びに／若しくは関心のある他の認可された第三者に送信され得る（最悪事例状況ではオフラインアプリケーションにより）。
【００７９】
照明機器の使用
緊急状況等のイベント発生時、システム１２内の照明機器１１１は、アクティブ化される。アクティブ化は、例えば、通常のＡＣ電源への電力遮断が存在する  −  したがって、何らかの種類の緊急性が存在し、緊急照明が必要とされるという推定を提供する  −  ことに基づいてトリガーすることができる。他のトリガーを使用することもでき、記載される照明機器及びシステムが緊急イベントのみでの使用に必ずしも限定されるわけではないことが理解されるであろう。それは、任意のイベントで使用することができるか、又は必要に応じて通常状況中でも使用することができる。この場合、照明機器のＵＰＳは、各デバイス及びネットワークに給電する。それは、関連するネットワーク端末及びネットワークアクセスポイント（外部ルータ）並びにスマートフォン、コンピュータ等の任意の外部モバイル又はポータブルデバイスにも給電することができる。各照明機器のコントローラ２４は、照明モジュールをトリガー／アクティブ化して、照明を提供する。加えて、無停電電源は、通信モジュール及び／若しくは検出／位置特定モジュール並びに／又は照明機器の任意の他の構成要素に給電する。次に、コントローラは、通信、人検出及び／又は人位置特定を促進することができる。例えば、建物内の人１１ａは、第三者との通信を必要とする場合、携帯電話を使用して、Ｗｉ−Ｆｉルータ、Ｂｌｕｅｔｏｏｔｈ送受信機又は任意の他の手段を介し、コンピュータネットワーク又は電話回線網等を介して外部当事者と通信することができる。同様に、区内の当事者は、人１１ａと通信することができる。システムは、例えば、運動センサ、近接センサ及び／又は物体センサ（例えば、ＩＲ運動センサ又は熱センサ等）を通して１人又は複数の人１１ａの存在を検出することもできる。この情報は、通信モジュール及びネットワーク／システムを介して緊急サービス１５等のサーバ／第三者に通信することができる。同様に、三辺測量又はビーコン、Ｗｉ−Ｆｉ、Ｂｌｕｅｔｏｏｔｈ及び／若しくは他の検出器の使用は、単独で又は様々な照明機器と組み合わせて使用されて、建物内の人１１ａの位置を特定することができる。次に、この位置は、通信モジュールを介して緊急サービス１５等の第三者に通信されて、救助を支援するか又は他の支援を提供することができる。
【００８０】
様々な通信及び／又は電力ポートを使用して、人１１ａは、照明機器を使用してモバイル通信デバイス又は他の装置を充電することができる。同様に、人１１ａは、緊急トーチを使用することができ、緊急トーチは、イベントトリガー時にアクティブ化及び照明される。例えば、ＵＳＢ又は他のデータポートを介して照明機器への直接通信を行うこともできる。
【００８１】
開示される変更された照明機器及びシステムは、建物に提供された緊急照明基盤があることを利用し、これを足場として、別個の通信及び検出基盤を必要とせずに追加の機能を提供する。
【００８２】
ここで、幾つかの例示的な使用事例状況について説明する。
【００８３】
図１３は、ネットワークの一部として一緒に動作する照明機器１１１の平面全体図を示す。照明機器１１１のネットワークは、建物１１０全体を通して分散する。建物全体を通して複数の照明機器１１１を設置することにより、建物居住者１１２が建物１１０の任意の位置から支援を要求することができる。加えて、建物１１０内の建物居住者１１２の場所を追跡することが可能であり、建物居住者１１２の移動を追跡することさえ可能である。そのようなデータは、収集し、次に外部ネットワーク（例えば、オンラインサーバ１１４）を経由して緊急サービス１１６、セキュリティ監視サービス１１５又は任意の他の第三者１１７に中継することができる。
【００８４】
特に、図１３は、建物内で人の存在を場所特定し、且つ／又は電力バックアップのために通信、人検出及び／又は人場所特定／位置特定機能を提供するために、本明細書に記載のように構成された照明機器１１１のネットワークを含むシステム／ローカルエリアネットワークと同一平面に建物１１０のフロアプランを概略ブロック図形式で示す。複数の照明機器が共用エリアに配備される。照明機器１１１は、ホームゲートウェイルータ等の外部の及び／又は内部で脱着可能なインターネット通信アクセスポイントの電力バックアップを有して更に構成される。照明機器は、インターネットネットワーク接続端末デバイス（光ファイバネットワークに接続する光ネットワーク端末（ＯＮＴ）であり得る）及びインターネットサービスの固定無線又は通信衛星を提供するようにも構成される。照明機器１１１ｇ、１１１ｈ、１１１ｉは、ローカルエリアネットワーク内で収集された情報データを変換して、オンライン接続を提供するゲートウェイとして機能し得る。特に、照明機器１１１ｉは、入口及び／又は建物マネージャの宅内等の建物の外部及び／又はオンラインインターネットネットワーク接続端末が保証される建物内部の任意の他の空間に配置され得る（望ましくは常に）。照明機器１１１ｉは、上述した機能並びにＷｉＦｉ等の外部モバイルデバイスのオンライン接続及び外部モバイルデバイスの電力バックアップをサポートする電力バックアップも有する。緊急第１対応者が現場でリアルタイム情報にアクセスできるようにするため、建物の外部に照明機器１１１ｉを設置することが望ましい。
【００８５】
ネットワークがどのように動作するかの例示的な状況について、図１４〜図２３を参照して考察する。これらの状況は、以下のようにここで説明する建物居住者及び居住者のモバイルデバイスを参照する。
・人１１２は、モバイルセルラデータがなく、したがってインターネット接続を有さないモバイルデバイス１１２ａを所有している。
・モバイルデバイス１１２ｂ及び１１２ｃは、アクティブセルラインターネット接続を有する。
・モバイルデバイス１１２ｄは、アクティブセルラインターネット接続を有するため又は照明機器１１１によってサポートされる無線インターネット接続を有するため、オンラインになることができる。
・人１１２ｅは、照明機器１１１と通信して、アラートを発行することができるウェアラブルデバイスを有する。
・人１１２ｆとは、機能しているモバイル電子デバイスを備えていない任意の人を指す。この場合、人１１２ｆは、電池が切れたモバイルデバイスを有し得るか、又は人１１２ｆは、モバイルデバイスを全く有さないことがあり得る。これらの人々は、全て建物全体を通して設置された照明機器１１１のネットワークによって検出及び位置特定され得る。
・モバイルデバイス１１２ｇ及び１１２ｈは、オンライン通信のため及び／又はインターネット接続が利用可能でないことがある停電時にメッシュネットワークの最近傍ノード１１１ｉのみに接続することによって建物内部の人々をオフライン追跡するために、建物マネージャ、警備員及び緊急第１対応者によって使用される。
【００８６】
図１４〜図２３は、インターネット通信アクセス１１３も参照し、インターネット通信アクセス１１３は、建物の外部のインターネット基盤ネットワーク接続基盤である。インターネット通信アクセス１１３は、
・インターネットサービスの光ファイバ線、固定無線又は通信衛星の１つ又は複数を含むノードの分散パネルであるインターネットネットワーク接続１１３ａ、及び
・建物の受信範囲内にあるセルラサイト１１３ｂ
を含み得る。
【００８７】
クラウドサーバ１１４は、建物居住者のリアルタイム位置に関連するデータを記憶するホストプラットフォームである。クラウドサーバ１１４は、第三者にデータの図表現１１５を供給するように構成され得る。
【００８８】
図１４は、停電、通常照明及びインターネットアクセス設備建物の遮断を受けている建物フロアプラン１０を図形式で示す。図１４は、ＢＬＥ等の無線周波数でのネットワークノードとして構成された照明機器１１１ａ〜ｉのメッシュネットワークを示す。照明機器１１１ａ〜ｉは、屋内無線ネットワークのマルチホップメッシュトポロジの一部として接続することができる。ノードのネットワークバックボーン基盤は、ＢＬＥを変換して、オンラインになり、インターネット基盤ネットワーク接続分散設備１１３ａ及び１１３ｂと接続するプロクシ及びコンテンツゲートウェイである少なくとも１つのインターネット接続ノード１１１ｉを含み得る。照明機器１１１ａ〜ｉは、煙探知器、火災警報器、火災スプリンクラー、照明スイッチ及びサーモスタット等の他のプロビジョニングされたノード１１１ｊ、１１１ｋに接続することもできる。プロビジョニングされたノード１１１ｊ、１１１ｋは、モバイルデバイスの検出に使用されるプロトコルと同じメッシュネットワーク通信プロトコルを使用して近傍に配備され得る。モバイルデバイス１１２ａ〜ｅは、任意のノードがＢｌｕｅｔｏｏｔｈメッシュプロクシプロトコルに従い得るメッシュネットワーク内の任意のノードと対話し得る。モバイル及びウェアラブルデバイスが、上記メッシュネットワークと対話するためのＢｌｕｅｔｏｏｔｈメッシュスタックを所有しない状況では、救護者は、依然として最近傍ノード１１１ｉと通信し、且つ／又は救護者のＢｌｕｅｔｏｏｔｈメッシュ対応デバイスの近くにある任意の結合されてプロビジョニングされたノードと通信することにより、人のモバイルウェアラブルデバイスの位置を追跡することができる。ユーザのデバイスを検出したノードが範囲外である場合でも、Ｂｌｕｅｔｏｏｔｈメッシュ対応デバイス１１１ｌ、１１１ｍの使用により、マルチホップメッセージングによるユーザのモバイルデバイスのオフライン位置特定を達成することができる。好ましくは、地震、火災及び停電等の最悪事例状況でも、建物居住者を見つけるために、救護者、建物マネージャ、警備員及び緊急第１対応者によってＢｌｕｅｔｏｏｔｈメッシュ対応デバイス１１１ｌ、１１１ｍが使用されるべきである。
【００８９】
図１５は、２階以上の階がある建物でのフロアレベルに配備された同じネットワーキングプロトコルを使用することにより、煙探知機１３１ａ、１３１ｂ等の他の緊急関連デバイスと通信及び対話することができるローカルメッシュネットワーク１１１ａ〜ｉの例示的な状況を示す。この状況では、建物居住者は、異なる状況でアラートを発行し得、全ての照明機器１１１は、ＩＰＶ６オーバＢＬＥ等のインターネット接続の機能を有して構成され得、照明機器１１１ｇ〜ｉは、特にインターネットゲートウェイ及び電力バックアップを有して構成されて、インターネットサービス設備１１３ａの光ファイバ及び／又は固定無線及び通信衛星を提供する。建物居住者は、多様な通信プラットフォームを使用して、１１２のモバイル及び／又はウェアラブルデバイスからアラートを発行し得、モバイル及び／又はウェアラブルデバイスは、Ｂｌｕｅｔｏｏｔｈ送受信機、ＧＰＳ、ＷｉＦｉ、磁力計、ジャイロスコープ、気圧計及び加速度計等を含めたモバイルデバイスの内蔵近接センサを使用して追跡可能であり得る。機能しているモバイルデバイスへのアクセスを有さない人１１２ｆの場合、人１１２ｆは、二重モード検出方法によって検出され得る。
【００９０】
そのような本発明による緊急照明機器装置メッシュネットワークでは、上述したモバイルデバイスを使用している任意の建物居住者がアラート発行する場合、デバイス１１２ｇの所有者（建物マネージャ、警備員、火災パトロール員又は建物のパトロールを担当する人物によって使用される）は、場所データをオンラインで共有し得る。リアルタイム情報は、建物マネージャの宅内及び／又はインターネット接続が保証される他の空間に配備された照明機器１１１ｉを通してオンラインで転送され得る。これは、図表現、建物居住者の場所及び／又は移動を表示するためのマッピングエンジンを含めて、建物居住者の検出、位置特定／場所特定の全てのリアルタイムデータをクラウドサーバ１１４におけるアルゴリズムによって処理し得るようにするためである。クラウドサーバ１１４に記憶された情報（その図表現も同様に）は、緊急呼び出し指令係並びに消防、警察及び救急１１６のような緊急サービス並びに／又は関心のある他の認可された当事者１１７を含め、他の第三者と共有され得る。したがって、照明機器１１１ｉは、建物と外部との間のデータのセキュア化されたコンテンツオンライン受信機及び送信機として見なされ得る。
【００９１】
したがって、上述した例示的な状況は、モバイルデバイスを所有しているか否かに関係なく、極限の状況で人をどのように見つけることが可能であるかを説明している。絶対的なインターネット通信の遮断があるそのような状況では、権限を有する救護者、建物マネージャ、警備員、火災パトロール員及び緊急第１対応者、消防士は、現場及び／又は離れたメッシュネットワーク内の任意のノードに接続することにより、任意の建物居住者を見つけるオフラインアプリケーションプログラムがインストールされたデバイス１１２ｇ、１１２ｈを使用することができる。
【００９２】
図１６は、建物１１０への電源が遮断されたが、それ以外には緊急の出来事がない例示的な状況を示す。この状況では、主要な建物ライトが切れ、建物Ｗｉ−Ｆｉネットワークがダウンしている。緊急状況は発生していないため、建物居住者は、この状況で避難する必要はない。建物居住者は、単に、建物１１０への電力が回復するまでその場所に留まり待つのみでよい。その間、建物居住者は、照明機器１１１のネットワークを使用して、居住者が無事であることを通信することができる。建物居住者は、自身のモバイルデバイス１１２ａ、１１２ｂを使用して、照明機器１１１の通信モジュール２２内のＷｉ−Ｆｉに接続し、友人及び家族に無事であることを通知することができる。この状況では、建物居住者は、ＷｉＦｉ  Ｄｉｒｅｃｔ（商標）等のＷｉＦｉアドホックメッセージングを使用して、セルラ接続及び／又は照明機器１１１によってサポートされるＷｉＦｉ接続等のアクティブオンライン接続を有する付近のモバイルデバイス１１２ｂにアラートを発行して、緊急サービス１１６と直接交信することができる（建物居住者は、助けを呼ぶためにテキスト、写真、音声アシスタント、ビデオ及びＶｏＩＰ等の任意の形態のデジタルマルチメディアを使用し得る）。モバイルデバイス及びモバイルデバイスを所有する人は、両方とも二重検知方法下で検出及び場所特定され得る。アラート及び位置データは、インターネットセルラネットワークを経由して又はローカルメッシュネットワークにわたってアラート及び位置データを中継する（マルチホップメッセージングを介して）ことによって中継されて、ゲートウェイ照明機器１１１ｉに達することができ、アラート及び位置データは、次に、先のオンラインサーバ１２２に中継することができる。
【００９３】
図１７は、建物居住者６３ａが誤って転倒し、起き上がることができず、治療を必要とする別の例示的な状況を示す。この状況では、通常の照明及びＷｉＦｉインターネットアクセス設備がダウンしている。この人は、アクティブセルラオンライン接続を有するモバイルデバイス１１２ｃを有し、緊急サービス１１６と直接交信する（建物居住者は、助けを呼ぶために、テキスト、写真、音声アシスタント、ビデオ又はＶｏＩＰ等の任意の形態のデジタルマルチメディアを使用し得る）。加えて、モバイルデバイス位置は、照明機器１１１ｂ、１１１ｃに統合されたＢＬＥビーコン送受信機／送信機により、又はＢＬＥビーコンを有するとき、場合により煙探知機１３１ａ及び／又は照明機器１１１ｄにより検出され得る。アラート及び位置データは、ローカルメッシュネットワークにわたって中継されて（マルチホップメッセージングを介して）、ゲートウェイ照明機器１１１ｉに達することができ、アラート及び位置データは、次に、先のオンラインサーバ１２２に中継することができる。
【００９４】
図１８は、図１７と同様の例示的な状況を示すが、この状況では、建物居住者は、ウェアラブルデバイス１１２ｅを使用して通信して、医療支援を要求することができる。この例示的な状況下では、人の移動は、照明機器１１１ｇに統合された運動センサによって検出され得る。しかしながら、加えて、建物居住者が装着したウェアラブルデバイス１１２ｅの位置は、照明機器１１１ａ、１１１ｂ及び１１１ｇに統合されたＢＬＥビーコン送受信機／送信機によって検出され得る。アラート及び位置データは、ローカルメッシュネットワークにわたって中継されて（マルチホップメッセージングを介して）、ゲートウェイ照明機器１１１ｉに達することができ、アラート及び位置データは、次に、先のオンラインサーバ１２２に中継することができる。
【００９５】
図１９は、建物内の通常の照明及びＷｉＦｉインターネットアクセス設備がダウンしている例示的な状況を示す。この状況では、モバイルデバイスを有する人１１２ｆは、機能しているモバイルデバイスへのアクセスを有さない。しかしながら、この人の移動は、照明機器１１１ｃに統合された運動センサによって追跡することができる。アラート及び位置データは、ローカルメッシュネットワークにわたって中継されて（マルチホップメッセージングを介して）、ゲートウェイ照明機器１１１ｉに達することができ、アラート及び位置データは、次に、先のオンラインサーバ１２２に中継することができる。
【００９６】
図２０は、建物内の通常の照明及びＷｉＦｉインターネットアクセス設備がダウンしている例示的な状況を示す。アクティブモバイルセルラオンライン接続を有するモバイルデバイス１１２ｄを所有する人は、自身のモバイルデバイスを使用して直接、緊急サービス１１６と直接交信することができる（建物居住者は、助けを呼ぶためにテキスト、写真、音声アシスタント、ビデオ及びＶｏＩＰ等の任意の形態のデジタルマルチメディアを使用し得る）。代替的に、モバイルデバイスは、アラートを緊急サービス１１６に発行するために、照明機器１１１ｈによって提供されるＢＬＥ及びＷｉＦｉに接続するように動作し得る。モバイルデバイス及びモバイルデバイスを所有する人は、両方とも二重検知方法下で検出及び場所特定され得る。アラート及び位置データは、ローカルメッシュネットワークにわたって中継されて（マルチホップメッセージングを介して）、ゲートウェイ照明機器１１１ｉに達することができ、アラート及び位置データは、次に、先のオンラインサーバ１２２に中継することができる。
【００９７】
図２１は、建物内の通常の照明及びＷｉＦｉインターネットアクセス設備がダウンしている例示的な状況を示す。この状況では、現場の建物マネージャ／パトロール員／警備員は、モバイルデバイス１１２ｇを使用して、人の場所を監視することができる。この状況では、モバイルデバイス１１２ｇは、照明機器１１１ｉに接続し、照明機器１１１ｉは、制御室オフィス等に配置され得る。これにより、現場の建物マネージャ／パトロール員／警備員は、照明機器１１１ｉに構成された電力バックアップ機能を利用して、モバイルデバイス１１２ｇを充電することができる。照明機器１１１ｉ内のＵＰＳが第１の段階で動作しており、ＵＰＳが切れつつある場合、ＵＰＳが第２の段階での動作に切り替わるとき、建物マネージャ／パトロール員／警備員は、それでもなおモバイルデバイス１１２ｇを使用して、任意の照明機器１１１ｉに接続することができる。
【００９８】
図２２は、オンラインサーバ１１４が機能していないことがある極端な自然災害の一例の場合の例示的な状況を示す。救護者（緊急第１対応者等）は、モバイルデバイス１１２ｈに依存し、照明機器１１１ｉ及び／又は第２の段階で動作しているＵＰＳを有する任意の他のノード（照明機器１１１ａ〜ｈを含む）とのＢＬＥ接続を維持することができる。これにより、救護者は、支援を必要としている建物居住者を見つけることができる。
【００９９】
図２３は、緊急呼び出し指令係、緊急第１対応者１１６及び関心のある他の当事者１１７が、モバイルデバイス１１２ｈにおけるデータにアクセスすることによって建物内の建物居住者の位置に関連するデータにアクセスすることができる例示的な状況を示す。人の存在の検出、位置／場所のリアルタイムデータは、図表現においてモバイルデバイス１１２ｇ、１１２ｈにオンライン及び／又はオフラインで表示し得る。
【０１００】
幾つかの好ましい特徴
好ましくは、Ｂｌｕｅｔｏｏｔｈ送受信機及び／又はビーコン送信機のパラメータは、建物に配備された本発明による緊急照明機器装置の水平及び垂直アドレス情報を含み得る。
【０１０１】
好ましくは、Ｂｌｕｅｔｏｏｔｈ送受信機及び／又はビーコン送信機は、上述した検出及び／又は位置モジュールに統合され得、且つ／又はユニバーサルシリアルバスプロトコルを使用してＵＰＳに個々に結合され得る。
【０１０２】
好ましくは、人検出及び／又は位置特定構成要素は、ＰＩＲを使用した運動検出器及び／又は熱センサ等の１つ又は複数である１つ又は複数の構成要素を含む。
【０１０３】
好ましくは、コントローラは、Ｂｌｕｅｔｏｏｔｈビーコンメッシュネットワーキング通信及び温度／湿度のサーモスタット等の環境センサ、建物内の居住者照明スイッチ及び同様にＢｌｕｅｔｏｏｔｈメッシュネットワーキングプロトコルを使用し得る、煙探知機、火災警報器、火災スプリンクラー等の建物内に配備される他の緊急センサデバイスとの通信を促進することができる。
【０１０４】
好ましくは、コントローラは、建物内の人を検出し、且つ／又は人の場所を特定し、リアルタイム情報を収集し、且つ／又は人の検出及び／又は場所をシステムのインターネットサーバ及び緊急サービス等の第三者（例えば、建物内及び／又は外）に通信することができる。宅内に設置された光ファイバ及び固定無線並びに通信衛星インターネットサービス等の建物内の既存の有線及び無線通信接続又は装置と統合された通信ゲートウェイルータ及び／又はスマートセルラ携帯電話等のアラート発呼者のモバイルセルラオンライン接続デバイスの何れかの外部インターネット接続アクセスポイントを使用して、これを行うことができる。
【０１０５】
好ましくは、コントローラは、２段階で無停電電源を制御することができ、ここで、第１の段階の電源は、緊急照明及びオンラインネットワーク通信、検出、位置特定／場所特定をサポートするための電力供給源であり、第２の段階の電源は、オフラインネットワーク通信、検出、位置／場所特定をサポートする電力供給源である。
【０１０６】
好ましくは、コントローラは、人のモバイル通信デバイスにアラートして応答することにより、又はイベント時に人の存在を検出することにより人へのアラートをアクティブ化することができる。
【０１０７】
アラートは、限定ではなく、スマートフォン、スマートウォッチ並びにウェアラブル、ファブレット、タブレット及びラップトップコンピュータ等の人のモバイル通信デバイスによって発行されるアラート、又は本発明による装置及びシステムによって緊急時に検出及び位置特定された人々及び居住者、並びに／又は本発明による装置ネットワークによって収集され報告された物理的環境データの異常な変化であり得る。
【０１０８】
そのようなもののネットワークは、停電時、照明モジュールをトリガーして照明させ、且つ／又はアクティブ化イベントに応答して警告照明をトリガーし、人検出及び／又は位置特定モジュールを利用して、人の存在を検出し、且つ／又は建物内の人の位置及びデバイスを特定するように制御することができ、ビーコン送信機は、常時、無線信号を断続的に送信して、建物内のネットワーク接続されたビーコンの有効伝搬範囲内の様々な距離にある人のモバイルデバイスに届く。
【０１０９】
ビーコン送信機の最良無線伝搬範囲内の全てのモバイルデバイスは、アラート発行時にこれらの無線波を探してスキャンすることによって検出され得、これは、ＲＳＳＩでのビーコン送信機の送信電力値のスキャンに応答してアラートモバイル通信デバイスによって発行される無線信号における要求であり、通信モジュールを介した通信を促進し、且つ／又は人検出及び／又は位置特定モジュールを利用して、建物内の人を検出し、且つ／又は建物内の人の位置を特定する。
【０１１０】
照明機器は、高層ビル等の建物内の複数の緊急照明ローカルエリアネットワークのバックボーン基盤を形成することができ、そのようなネットワークは、略無制限の数の照明機器並びにインターネットアクセス及びモバイルデバイス電力バックアップ等の周辺機器を追加することによって結合することができる。照明機器は、煙探知機、火災報知器、サーモスタット、火災スプリンクラー、居住者照明スイッチ及び防犯カメラ等と組み合わせることもでき、これらの全ては、照明機器によって使用される同じネットワーキングプロトコルに従い得る。照明機器は、他の建物とネットワーク接続する建物を超えてある建物から別の建物にスケールアップされ得る。
【図１】
2020532850.tif 000003
【図２】
2020532850.tif 000004
【図３Ａ】
2020532850.tif 000005
【図３Ｂ】
2020532850.tif 000006
【図４Ａ】
2020532850.tif 000007
【図４Ｂ】
2020532850.tif 000008
【図４Ｃ】
2020532850.tif 000009
【図５】
2020532850.tif 000010
【図６】
2020532850.tif 000011
【図７Ａ】
2020532850.tif 000012
【図７Ｂ】
2020532850.tif 000013
【図８】
2020532850.tif 000014
【図９】
2020532850.tif 000015
【図１０】
2020532850.tif 000016
【図１１】
2020532850.tif 000017
【図１２】
2020532850.tif 000018
【図１３】
2020532850.tif 000019
【図１４】
2020532850.tif 000020
【図１５】
2020532850.tif 000021
【図１６】
2020532850.tif 000022
【図１７】
2020532850.tif 000023
【図１８】
2020532850.tif 000024
【図１９】
2020532850.tif 000025
【図２０】
2020532850.tif 000026
【図２１】
2020532850.tif 000027
【図２２】
2020532850.tif 000028
【図２３】
2020532850.tif 000029
【図２４】
2020532850.tif 000030
【図２５】
2020532850.tif 000031
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
建物内で人を支援するのに使用するための照明機器であって、
少なくとも１つの照明モジュールと、
少なくとも１つの通信構成要素と、
コントローラと、
前記照明機器内にあるか又は前記照明機器に結合されて、通常（例えば、ＡＣ）電源の不在時に前記照明モジュール、前記通信構成要素及び／又は前記コントローラに給電する無停電電源と、
前記無停電電源を充電するため、及び／又は周辺機器を充電するための無線充電モジュールと
を含み、前記コントローラは、
アクティブ化イベント時に前記照明モジュールをトリガーして照明させ、
前記通信を介して通信を促進し、且つ／又は
前記通信構成要素及び／又は他の構成要素を使用して人（又はそのデバイス）の位置特定を促進する、照明機器。
【請求項２】
建物内で人を支援するのに使用するための照明機器であって、
少なくとも１つの照明モジュール、
少なくとも１つの通信構成要素、
コントローラ、
前記照明機器内にあるか又は前記照明機器に結合されて、通常（例えば、ＡＣ）電源の不在時に前記照明モジュール、前記通信構成要素及び／又は前記コントローラに給電する無停電電源であって、第１の時間期間にわたり、第１の動作モードで動作し、且つ第２の時間期間にわたり、第２の動作モードで動作するように構成される、無停電電源
を含み、前記コントローラは、
アクティブ化イベント時に前記照明モジュールをトリガーして照明させ、
前記通信を介して通信を促進し、且つ／又は
前記通信構成要素及び／又は他の構成要素を使用して人（又はそのデバイス）の位置特定を促進し、
前記第１の動作モードにおいて、前記無停電電源は、前記照明機器の全ての構成要素に電力を提供し、
前記第２の動作モードにおいて、前記無停電電源は、前記第１のモードで動作する前記無停電電源によって給電される構成要素のサブセットに電力を提供する、照明機器。
【請求項３】
建物内で人を支援するのに使用するための照明機器であって、
少なくとも１つの照明モジュール、
少なくとも１つの通信構成要素、
コントローラ、
前記照明機器内にあるか又は前記照明機器に結合されて、通常（例えば、ＡＣ）電源の不在時に前記照明モジュール、前記通信構成要素及び／又は前記コントローラに給電する無停電電源であって、第１の時間期間にわたり、第１の動作モードで動作し、且つ第２の時間期間にわたり、第２の動作モードで動作するように構成される、無停電電源
を含み、前記コントローラは、
アクティブ化イベント時に前記照明モジュールをトリガーして照明させ、
前記通信を介して通信を促進し、且つ／又は
前記通信構成要素及び／又は他の構成要素を使用して人（又はそのデバイス）の位置特定を促進し、
前記第１の動作モードにおいて、前記無停電電源は、
・前記少なくとも１つの照明モジュール、
・前記少なくとも１つの通信構成要素、
・少なくとも１つの人検出及び／又は位置特定構成要素、
・Ｂｌｕｅｔｏｏｔｈビーコン、
・ゲートウェイルータ、
・前記コントローラ
に電力を提供し、
前記第２の動作モードにおいて、前記無停電電源は、
・前記少なくとも１つの人検出及び／又は位置特定構成要素、
・前記Ｂｌｕｅｔｏｏｔｈビーコン、
・前記コントローラ
に電力を提供し、
前記第１の動作モードにおいて、前記無停電電源は、前記照明機器の全ての構成要素に電力を提供し、
前記第２の動作モードにおいて、前記無停電電源は、前記第１のモードで動作する前記無停電電源によって給電される構成要素のサブセットに電力を提供する、照明機器。
【請求項４】
建物内で人を支援するのに使用するための照明機器であって、
少なくとも１つの照明モジュール、
少なくとも１つの通信構成要素、
コントローラ、
前記照明機器内にあるか又は前記照明機器に結合されて、通常（例えば、ＡＣ）電源の不在時に前記照明モジュール、前記通信構成要素及び／又は前記コントローラに給電する取り外し可能且つ／又は脱着可能な無停電電源
を含み、前記コントローラは、
アクティブ化イベント時に前記照明モジュールをトリガーして照明させ、
前記通信を介して通信を促進し、且つ／又は
前記通信構成要素及び／又は他の構成要素を使用して人（又はそのデバイス）の位置特定を促進する、照明機器。
【請求項５】
建物内で人を支援するのに使用するための照明機器であって、
少なくとも１つの照明モジュール、
少なくとも１つの通信構成要素、
コントローラ、
前記照明機器内にあるか又は前記照明機器に結合されて、通常（例えば、ＡＣ）電源の不在時に前記照明モジュール、前記通信構成要素及び／又は前記コントローラに給電する無停電電源
を含み、前記コントローラは、
アクティブ化イベント時に前記照明モジュールをトリガーして照明させ、
前記通信を介して通信を促進し、且つ／又は
前記通信構成要素及び／又は他の構成要素を使用して人（又はそのデバイス）の位置特定を促進し、
前記通信構成要素は、前記人が、通常電源の不在時に通信を引き起こすことによって支援を得ることを可能にする、照明機器。
【請求項６】
前記照明機器が配置されている前記建物の物理的場所についての情報及び前記建物内の（又は前記建物に対する）前記照明機器の物理的位置についての情報を含むアドレスを有する、請求項１〜５の何れか一項に記載の照明機器。
【請求項７】
前記コントローラは、前記通信構成要素及び／又は他の構成要素を使用することにより、前記照明機器の前記アドレスに基づいて人（又はそのデバイス）の位置特定を促進する、請求項６に記載の照明機器。
【請求項８】
少なくとも１つの人検出及び／又は位置特定構成要素を更に含み、前記コントローラは、前記人検出及び／又は位置特定構成要素を利用して、建物内の人を検出し、且つ／又は前記建物内の人の位置を特定する、請求項１〜７の何れか一項に記載の照明機器。
【請求項９】
各通信構成要素は、
Ｗｉ−Ｆｉ送受信機、
インターネットゲートウェイ、
３ＧＰＰ送受信機、
Ｂｌｕｅｔｏｏｔｈ送受信機、
リムーバブルルータ／ＲＦ信号エンハンサ
の１つ又は複数である１つ又は複数の通信構成要素を含む、請求項１〜８の何れか一項に記載の照明機器。
【請求項１０】
各人検出及び／又は位置特定構成要素は、
近接センサ、
運動検出器、
ＧＰＳ送受信機、
ＢＬＥビーコン、
Ｗｉ−Ｆｉ送受信機、
３ＧＰＰ送受信機、及び／又は
モデムルータ／ＲＦ信号エンハンサ
の１つ又は複数である１つ又は複数の構成要素を含む、請求項８又は９に記載の照明機器。
【請求項１１】
前記コントローラは、前記通信構成要素の１つ又は複数を使用して、前記建物内の人のモバイル通信デバイスと第三者（例えば、前記建物の外部）との間の通信を促進することができる、請求項１〜１０の何れか一項に記載の照明機器。
【請求項１２】
前記コントローラは、任意選択的に前記通信構成要素を使用して、人を検出し、及び／若しくは建物内の人の場所を特定し、且つ／又は前記人の前記検出及び／若しくは場所を第三者（例えば、前記建物の外部）に通信することができる、請求項８〜１１の何れか一項に記載の照明機器。
【請求項１３】
前記アクティブ化イベントは、緊急イベントである、請求項１〜１２の何れか一項に記載の照明機器。
【請求項１４】
前記無停電電源は、電池であり、前記電池は、好ましくは、２つの電池ユニットを含み、少なくとも１つの電池ユニットは、前記照明機器から取り外し可能／脱着可能である、請求項１〜１３の何れか一項に記載の照明機器。
【請求項１５】
前記無停電電源を充電するため、及び／又は周辺機器を充電するための無線充電モジュールを更に含む、請求項１に従属しない請求項２〜１４の何れか一項に記載の照明機器。
【請求項１６】
任意選択的に前記無停電電源から外部デバイスに給電するための１つ又は複数の電源ソケット、
前記照明機器に取り外し可能に結合され、且つ／又はアクティブ化イベント時にトリガーされて照明する充電可能トーチ、
ＡＣ電源
の１つ又は複数を更に含む、請求項１〜１５の何れか一項に記載の照明機器。
【請求項１７】
前記照明機器を壁内／壁上に搭載するために保持する固定ボックスを更に含む、請求項１〜１６の何れか一項に記載の照明機器。
【請求項１８】
前記無停電電源は、
第１の時間期間にわたり、第１の動作モードで動作することと、
第２の時間期間にわたり、第２の動作モードで動作することと
を行うように構成される、請求項１に記載の、又は請求項２及び３のいずれにも従属しない請求項４〜１７の何れか一項に記載の照明機器。
【請求項１９】
前記第１のモードにおいて、前記無停電電源は、前記照明機器の全ての構成要素に電力を提供し、及び
前記第２のモードにおいて、前記無停電電源は、前記第１のモードにおいて動作する前記無停電電源によって給電される構成要素のサブセットに電力を提供する、請求項１８に記載の照明機器。
【請求項２０】
前記第１のモードにおいて、前記無停電電源は、
・前記少なくとも１つの照明モジュール、
・前記少なくとも１つの通信構成要素、
・少なくとも１つの人検出及び／又は位置特定構成要素、
・Ｂｌｕｅｔｏｏｔｈビーコン、
・ゲートウェイルータ、
・前記コントローラ
に電力を提供し、
前記第２のモードにおいて、前記無停電電源は、
・前記少なくとも１つの人検出及び／又は位置特定構成要素、
・前記Ｂｌｕｅｔｏｏｔｈビーコン、
・前記コントローラ
に電力を提供し、
前記無停電電源は、電力が切れるときに前記第１のモードでの動作から前記第２のモードに切り替わるように構成され、
前記コントローラは、常に前記無停電電源によって給電されるように構成される、請求項１８又は１９に記載の照明機器。
【請求項２１】
前記無停電電源は、取り外し可能且つ／又は脱着可能である、請求項１〜３に記載の、又は請求項４に従属しない請求項５〜２０の何れか一項に記載の照明機器。
【請求項２２】
前記建物の外部に配置される、請求項１〜２１の何れか一項に記載の照明機器。
【請求項２３】
イベント中に建物内で人を支援するためのシステムであって、
照明機器のネットワークであって、各照明機器は、請求項１〜２２の何れか一項に記載のものである、照明機器のネットワーク
を含み、前記照明機器のネットワークは、
アクティブ化イベント時に前記照明モジュールをトリガーして照明させ、
前記通信モジュールを介して通信を促進し、且つ／又は
前記人検出及び／又は位置モジュールを利用して、建物内の人を検出し、且つ／又は前記建物内の人の位置を特定する
ように制御され得る、システム。
【国際調査報告】
2020532850.tif 000032
2020532850.tif 000033
2020532850.tif 000034
2020532850.tif 000035
2020532850.tif 000036
2020532850.tif 000037